(57)【特許請求の範囲】
【請求項１】
ディスク状記録媒体を回転自在に収納し、前記ディスク状記録媒体の中央部を露出させる開口部が下面に形成されたカートリッジが装着される装着部と、
前記装着部に装着された前記カートリッジの前記開口部から進入し、前記ディスク状記録媒体を前記中央部でクランプして前記ディスク状記録媒体を回転させる回転テーブルと、
前記装着部に取り付けられ、回転する前記ディスク状記録媒体により前記開口部から塵埃を含む空気が前記カートリッジ内に吸引されることを防ぐ弾性のシール部材と、
前記カートリッジを位置決めする複数の突起と、
を有するディスクドライブ装置であって、
前記シール部材は、環状の基部と、前記環状の基部から突出して外方側に広がった形状のリップとを有し、
前記リップは、前記装着部に装着された前記カートリッジの前記開口部を囲むように前記カートリッジの下面に押し当てられ、
前記複数の突起の各々は、前記カートリッジの下面に接する頭を有し、
前記基部は、
前記リップよりも内方側に位置する部分と、
前記リップよりも内方側に位置する部分に、前記複数の突起に対応する複数の貫通孔と、を有し、
前記リップよりも内方側に位置する部分が前記装着部に取り付けられ、
前記複数の突起が、対応する前記複数の貫通孔を貫通することにより、前記シール部材が前記装着部に取り付けられている
ディスクドライブ装置。
【請求項２】
前記突起の頭は、前記突起を前記貫通孔にはめ込むことができる程度に、前記貫通孔よりも径が大きい
請求項１記載のディスクドライブ装置。
【請求項３】
前記リップは、第１および第２のリップからなり、
前記第１および第２のリップは、前記基部の上面側に突出しており、
前記第１のリップは、前記第２のリップよりも外側に位置し、
前記カートリッジの非装着時では、前記基部の中央部からの前記第１のリップの高さは、前記基部の中央部からの前記第２のリップの高さよりも高く、
前記カートリッジの装着時では、前記第１および第２のリップは前記カートリッジの下面に接しており、前記基部の中央部からの前記第１および第２のリップの高さは同一である
請求項１記載のディスクドライブ装置。
【請求項４】
前記第１および第２のリップは、略平行しており、
前記第１のリップの長さは、前記第２のリップの長さよりも大きく、
前記カートリッジの非装着時では、前記基部の中央部からの前記第１および第２のリップの高さが略同一である
請求項３記載のディスクドライブ装置。
【請求項５】
前記リップは、第１および第３のリップを有し、
前記第１のリップは、前記基部の上面側に突出していて前記カートリッジの装着時では前記カートリッジの下面に接し、
前記第３のリップは、前記基部の下面側に突出していて前記装着部に接している
請求項１記載のディスクドライブ装置。
【請求項６】
前記第１および第３のリップは、前記基部に関して互いに対称または略対称に形成されている請求項５記載のディスクドライブ装置。
【請求項７】
前記リップは、第１、第２、第３および第４のリップを有し、
前記第１および第２のリップは、前記基部の上面側に突出していて前記カートリッジの装着時には前記カートリッジの下面に接し、
前記第３および第４のリップは、前記基部の下面側に突出していて前記装着部に接しており、
前記第１のリップは、前記第２のリップよりも外側に位置し、
前記第３のリップは、前記第４のリップよりも外側に位置し、
前記カートリッジの非装着時では、前記基部の中央部からの前記第１のリップの高さは、前記基部の中央部からの前記第２のリップの高さよりも高く、前記基部の中央部からの前記第３のリップの高さは、前記基部の中央部からの前記第４のリップより高く、
前記カートリッジの装着時では、前記第１および第２のリップは前記カートリッジの下面に接しており、前記基部の中央部からの前記第１および第２のリップの高さは同一であり、前記基部の中央部からの前記第３および第４のリップの高さは同一である
請求項１記載のディスクドライブ装置。
【請求項８】
前記第１および第２のリップは、互いに略平行であり、
前記第３および第４のリップは、互いに略平行であり、
前記第１のリップの長さは、前記第２のリップの長さよりも長く、
前記第３のリップの長さは、前記第４のリップの長さよりも長く、
前記カートリッジの非装着時では、前記基部の中央部からの前記第１および第２のリップの高さは略同一であり、前記基部の中央部からの前記第３および第４のリップの高さは略同一である
請求項７記載のディスクドライブ装置。
【請求項９】
前記第１および第３のリップは、前記基部に関して互いに対称または略対称に形成されており、
前記第２および第４のリップは、前記基部に関して互いに対称または略対称に形成されている
請求項７記載のディスクドライブ装置。
【請求項１０】
前記基部は、前記カートリッジの位置決め用の突起を有し、
当該位置決め用の突起は、前記基部の内周に沿って形成されており、
前記基部の中央部からの前記突起の高さは、前記カートリッジの非装着時における前記基部の中央部からの前記リップの高さよりも低く、前記カートリッジの装着時における前記基部の中央部からの前記リップの高さと同一である
請求項１記載のディスクドライブ装置。
【請求項１１】
前記シール部材の基部は、空気を濾過するフィルタを介して前記装着部に固着されており、
前記ディスク状記録媒体の回転時では、前記フィルタで濾過された空気が前記開口部から吸引される
請求項１記載のディスクドライブ装置。
【請求項１２】
前記リップは、空気が通過する通過孔を有しており、
空気を濾過するフィルタが前記通過孔を覆うように取り付けてあり、
前記ディスク状記録媒体の回転時では、前記通過孔および前記フィルタを通過した空気が前記開口部から吸引される
請求項１記載のディスクドライブ装置。
【請求項１３】
前記フィルタは、前記リップの外周側に取り付けられており、
前記フィルタで濾過された空気が前記通過孔を通過して前記開口部から吸引される
請求項１２記載のディスクドライブ装置。
【請求項１４】
前記カートリッジはシャッタを有し、
前記シャッタは、前記カートリッジの非装着時には閉じており、前記カートリッジの装着時には開いて前記開口部を露出させ、
前記シール部材のリップは、前記カートリッジの装着時に前記シャッタが移動して現れる平坦な部分のうちの前記開口部の周辺部に押し当てられる
請求項１記載のディスクドライブ装置。
【請求項１５】
光ピックアップをさらに有し、
前記ディスク状記録媒体は、光ディスクであり、
前記開口部は、前記カートリッジの装着時に、前記中央部を露出させると共に、前記ディスク状記録媒体のうち前記光ピックアップからのレーザビームが照射される部分を露出させる
請求項１４記載のディスクドライブ装置。
【請求項１６】
光ピックアップおよび磁気ヘッド素子をさらに有し、
前記ディスク状記録媒体は、光磁気ディスクであり、
前記開口部は、前記カートリッジの下面に形成された第１の開口部と、前記カートリッジの上面に形成された第２の開口部とを有し、
前記第１の開口部は、前記カートリッジの装着時に前記中央部を露出させると共に、前記ディスク状記録媒体のうち前記光ピックアップからのレーザビームが照射される部分を露出させ、
前記第２の開口部は、前記カートリッジの装着時に、前記磁気ヘッド素子に対向する部分を露出させ、
前記シール部材は、第１および第２のシール部材からなり、
前記第１のシール部材は、前記第１の開口部の周辺部と前記装着部との間をシールし、
前記第２のシール部材は、前記第２の開口部の周辺部と前記装着部との間をシールする
請求項１４記載のディスクドライブ装置。
【請求項１７】
光ピックアップおよび磁気ヘッド素子をさらに有し、
前記ディスク状記録媒体は、光磁気ディスクであり、
前記開口部は、前記カートリッジの下面に形成された第１の開口部と、前記カートリッジの側面に形成された第３の開口部とを有し、
前記第１の開口部は、前記カートリッジの装着時に前記中央部を露出させると共に、前記ディスク状記録媒体のうち前記光ピックアップからのレーザビームが照射される部分を露出させ、
前記第３の開口部は、前記カートリッジの装着時に前記磁気ヘッド素子が挿入され、
前記シール部材は、前記第１の開口部の周辺部と前記装着部との間をシールする
請求項１４記載のディスクドライブ装置。
【請求項１８】
前記シール部材は、シリコーンゴムからなり、
前記ディスク状記録媒体は、リムーバブル・ハードディスクである
請求項１記載のディスクドライブ装置。
【請求項１９】
請求項１に記載のディスクドライブ装置に用いられる弾性あるシール部材であって、環状の基部と、前記基部から突出して外方側に広がった形状のリップとを有し、
前記基部は、前期リップよりも内方側に位置する部分を有し、当該部分に複数の貫通孔が形成されている
シール部材。
【発明の詳細な説明】
【０００１】
【発明の属する技術分野】
本発明は、シール部材と、ディスク状記録媒体を収納したカートリッジ内に塵埃等が侵入することをシール部材により防止するディスクドライブ装置とに関する。
【０００２】
【従来の技術】
ハードディスクを収納したディスクカートリッジを装着するディスクドライブ装置がある。
このディスクドライブ装置は、ディスクカートリッジが装着される装着部と、ハードディスクをクランプして回転させる回転テーブルを有する回転操作機構と、ハードディスクに対して信号（または情報信号）の記録および／または再生を行う磁気ヘッド機構とを備える。
ディスクドライブ装置は、ディスクカートリッジが装着部に装着されると、カートリッジ本体の下面に形成されたディスク駆動用開口部より回転操作機構が進入すると共に、ハードディスクを外方に臨ませた記録再生用開口部より磁気ヘッド素子が進入する。
【０００３】
そして、回転操作機構によりハードディスクが回転すると、記録再生用開口部よりカートリッジ本体内に進入している磁気ヘッド素子は、回転するハードディスクと磁気ヘッド素子との間に発生するエア流により僅かに浮上し、ハードディスクの内外周にわたって移動するように操作され、ハードディスクに対して信号の記録および／または再生を行う。
【０００４】
【発明が解決しようとする課題】
ハードディスクには、直径が６５ｍｍ程度で数ギガバイトの情報信号を記録できるように高容量化が図られたものがある。
このハードディスクでは、情報信号の記録又は再生を行うとき、ハードディスクからの磁気ヘッド素子の浮上量が数１０ｎｍの状態で、磁気ヘッド素子がハードディスクの内外周にわたって移動するように操作される。
このとき、ハードディスクが回転操作機構により高速回転すると、回転操作機構が進入しているディスク駆動用開口部よりカートリッジ本体内に空気（エア）が吸い込まれる。このため、カートリッジ本体内には、エア流により塵埃等が侵入するおそれがある。
【０００５】
ハードディスクに対する磁気ヘッド素子の浮上量が数１０ｎｍの状態で情報信号の記録又は再生を行うディスクドライブ装置では、ディスク駆動用開口部よりカートリッジ本体内に侵入した塵埃等がハードディスクに付着すると、磁気ヘッド素子が塵埃等と衝突し、ハードディスクに対して確実に情報信号の記録再生を行うことが困難になる。
また、ハードディスクに塵埃等が付着すると、ハードディスクに対する磁気ヘッド素子の浮上量が変動し、ハードディスクに対して確実に情報信号を記録することが困難になる。
【０００６】
なお、特開平１０−１８８５１０号公報には、ディスク記憶装置の発明が開示されている。
この公報には、装着されたディスクカートリッジのハブ穴の外周をシールすること、例えば、カートリッジのハブ穴の周囲とスピンドルモータのモータハウジングとの間を、カートリッジの下面に接するテーパ面を有する弾性のシール部材によりシールすることが開示されている。
しかし、上記公報では、傾斜した弾性のテーパ面の下側でシール部材をモータハウジング等に固着しており、シール部材の取付けに手間がかかる。
【０００７】
本発明の第１の目的は、ディスクドライブ装置に装着されたディスク状記録媒体の回転時に、カートリッジの下面の開口部より、塵埃を含む空気がカートリッジ内に侵入することを防止可能なディスクドライブ装置と、このディスクドライブ装置で使用可能なシール部材とを提供することにある。
本発明の第２の目的は、シール部材を取り付ける手間を軽減可能なディスクドライブ装置を提供することにある。
【０００８】
【課題を解決するための手段】
本発明に係るディスクドライブ装置は、ディスク状記録媒体を回転自在に収納し、前記ディスク状記録媒体の中央部を露出させる開口部が下面に形成されたカートリッジが装着される装着部と、前記装着部に装着された前記カートリッジの前記開口部から進入し、前記ディスク状記録媒体を前記中央部でクランプして前記ディスク状記録媒体を回転させる回転テーブルと、前記装着部に取り付けられ、回転する前記ディスク状記録媒体により前記開口部から塵埃を含む空気が前記カートリッジ内に吸引されることを防ぐ弾性のシール部材と、前記カートリッジを位置決めする複数の突起と、を有するディスクドライブ装置であって、前記シール部材は、環状の基部と、前記環状の基部から突出して外方側に広がった形状のリップとを有し、前記リップは、前記装着部に装着された前記カートリッジの前記開口部を囲むように前記カートリッジの下面に押し当てられ、前記複数の突起の各々は、前記カートリッジの下面に接する頭を有し、前記基部は、前記リップよりも内方側に位置する部分と、前記リップよりも内方側に位置する部分に、前記複数の突起に対応する複数の貫通孔と、を有し、前記リップよりも内方側に位置する部分が前記装着部に取り付けられ、前記複数の突起が、対応する前記複数の貫通孔を貫通することにより、前記シール部材が前記装着部に取り付けられている。
【０００９】
本発明に係るディスクドライブ装置では、好適には、前記突起の頭は、前記突起を前記貫通孔にはめ込むことができる程度に、前記貫通孔よりも径が大きい。
【００１０】
本発明に係るディスクドライブ装置では、好適には、前記リップは、第１および第２のリップからなり、前記第１および第２のリップは、前記基部の上面側に突出しており、前記第１のリップは、前記第２のリップよりも外側に位置し、前記カートリッジの非装着時では、前記基部の中央部からの前記第１のリップの高さは、前記基部の中央部からの前記第２のリップの高さよりも高く、前記カートリッジの装着時では、前記第１および第２のリップは前記カートリッジの下面に接しており、前記基部の中央部からの前記第１および第２のリップの高さは同一である。
本発明に係るディスクドライブ装置では、好適には、前記第１および第２のリップは、略平行しており、前記第１のリップの長さは、前記第２のリップの長さよりも大きく、前記カートリッジの非装着時では、前記基部の中央部からの前記第１および第２のリップの高さが略同一である。
【００１１】
本発明に係るディスクドライブ装置では、好適には、前記リップは、第１および第３のリップを有し、前記第１のリップは、前記基部の上面側に突出していて前記カートリッジの装着時では前記カートリッジの下面に接し、前記第３のリップは、前記基部の下面側に突出していて前記装着部に接している。
本発明に係るディスクドライブ装置では、より好適には、前記第１および第３のリップは、前記基部に関して互いに対称または略対称に形成されている。
【００１２】
本発明に係るディスクドライブ装置では、好適には、前記リップは、第１、第２、第３および第４のリップを有し、前記第１および第２のリップは、前記基部の上面側に突出していて前記カートリッジの装着時には前記カートリッジの下面に接し、前記第３および第４のリップは、前記基部の下面側に突出していて前記装着部に接しており、前記第１のリップは、前記第２のリップよりも外側に位置し、前記第３のリップは、前記第４のリップよりも外側に位置し、前記カートリッジの非装着時では、前記基部の中央部からの前記第１のリップの高さは、前記基部の中央部からの前記第２のリップの高さよりも高く、前記基部の中央部からの前記第３のリップの高さは、前記基部の中央部からの前記第４のリップより高く、前記カートリッジの装着時では、前記第１および第２のリップは前記カートリッジの下面に接しており、前記基部の中央部からの前記第１および第２のリップの高さは同一であり、前記基部の中央部からの前記第３および第４のリップの高さは同一である。
【００１３】
本発明に係るディスクドライブ装置では、より好適には、前記第１および第２のリップは、互いに略平行であり、前記第３および第４のリップは、互いに略平行であり、前記第１のリップの長さは、前記第２のリップの長さよりも長く、前記第３のリップの長さは、前記第４のリップの長さよりも長く、前記カートリッジの非装着時では、前記基部の中央部からの前記第１および第２のリップの高さは略同一であり、前記基部の中央部からの前記第３および第４のリップの高さは略同一である。
本発明に係るディスクドライブ装置では、より好適には、前記第１および第３のリップは、前記基部に関して互いに対称または略対称に形成されており、前記第２および第４のリップは、前記基部に関して互いに対称または略対称に形成されている。
【００１４】
本発明に係るディスクドライブ装置では、好適には、前記基部は、前記カートリッジの位置決め用の突起を有し、  当該位置決め用の突起は、前記基部の内周に沿って形成されており、  前記基部の中央部からの前記突起の高さは、前記カートリッジの非装着時における前記基部の中央部からの前記リップの高さよりも低く、前記カートリッジの装着時における前記基部の中央部からの前記リップの高さと同一である。
【００１５】
本発明に係るディスクドライブ装置では、好適には、前記シール部材の基部は、空気を濾過するフィルタを介して前記装着部に固着されており、前記ディスク状記録媒体の回転時では、前記フィルタで濾過された空気が前記開口部から吸引される。
【００１６】
本発明に係るディスクドライブ装置では、好適には、前記リップは、空気が通過する通過孔を有しており、空気を濾過するフィルタが前記通過孔を覆うように取り付けてあり、前記ディスク状記録媒体の回転時では、前記通過孔および前記フィルタを通過した空気が前記開口部から吸引される。
本発明に係るディスクドライブ装置では、より好適には、前記フィルタは、前記リップの外周側に取り付けられており、前記フィルタで濾過された空気が前記通過孔を通過して前記開口部から吸引される。
【００１７】
本発明に係るディスクドライブ装置では、好適には、前記カートリッジはシャッタを有し、前記シャッタは、前記カートリッジの非装着時には閉じており、前記カートリッジの装着時には開いて前記開口部を露出させ、前記シール部材のリップは、前記カートリッジの装着時に前記シャッタが移動して現れる平坦な部分のうちの前記開口部の周辺部に押し当てられる。
【００１８】
本発明に係るディスクドライブ装置は、より好適には、光ピックアップをさらに有し、前記ディスク状記録媒体は、光ディスクであり、前記開口部は、前記カートリッジの装着時に、前記中央部を露出させると共に、前記ディスク状記録媒体のうち前記光ピックアップからのレーザビームが照射される部分を露出させる。
【００１９】
本発明に係るディスクドライブ装置は、より好適には、光ピックアップおよび磁気ヘッド素子をさらに有し、前記ディスク状記録媒体は、光磁気ディスクであり、前記開口部は、前記カートリッジの下面に形成された第１の開口部と、前記カートリッジの上面に形成された第２の開口部とを有し、前記第１の開口部は、前記カートリッジの装着時に前記中央部を露出させると共に、前記ディスク状記録媒体のうち前記光ピックアップからのレーザビームが照射される部分を露出させ、前記第２の開口部は、前記カートリッジの装着時に、前記磁気ヘッド素子に対向する部分を露出させ、前記シール部材は、第１および第２のシール部材からなり、前記第１のシール部材は、前記第１の開口部の周辺部と前記装着部との間をシールし、前記第２のシール部材は、前記第２の開口部の周辺部と前記装着部との間をシールする。
【００２０】
本発明に係るディスクドライブ装置は、より好適には、光ピックアップおよび磁気ヘッド素子をさらに有し、前記ディスク状記録媒体は、光磁気ディスクであり、前記開口部は、前記カートリッジの下面に形成された第１の開口部と、前記カートリッジの側面に形成された第３の開口部とを有し、前記第１の開口部は、前記カートリッジの装着時に前記中央部を露出させると共に、前記ディスク状記録媒体のうち前記光ピックアップからのレーザビームが照射される部分を露出させ、前記第３の開口部は、前記カートリッジの装着時に前記磁気ヘッド素子が挿入され、前記シール部材は、前記第１の開口部の周辺部と前記装着部との間をシールする。
【００２１】
本発明に係るディスクドライブ装置では、好適には、前記シール部材は、シリコーンゴムからなり、前記ディスク状記録媒体は、リムーバブル・ハードディスクである。
【００２２】
本発明に係る弾性あるシール部材は、環状の基部と、前記基部から突出して外方側に広がった形状のリップとを有し、前記基部は、前期リップよりも内方側に位置する部分を有し、当該部分に複数の貫通孔が形成されている。
【００３０】
【発明の実施の形態】
以下、本発明の実施の形態を添付図面を参照して説明する。
【００３１】
図１は、ディスクドライブ装置の使用状態を示す斜視図である。
図１に示すように、本発明が適用されるディスクドライブ装置３１は、ディスクカートリッジ１を用いる。ディスクカートリッジ１には、ハードディスク等のディスク状記録媒体が回転自在に収納されている。なお、ここでは、ディスク状記録媒体がハードディスクである場合を例示して説明する。
このディスクドライブ装置３１では、装置本体３２の前面に設けられた挿脱口３３を介してディスクカートリッジ１の挿脱が行われる。
【００３２】
図２は、ディスクカートリッジの斜視図である。
図２に示すように、ディスクカートリッジ１は、上下一対のハーフ（シェル）２，３を突き合わせ、周縁部を複数のビスや接着等によって結合したカートリッジ本体４を備え、このカートリッジ本体４にハードディスクが収納されている。
【００３３】
図３は、ディスクカートリッジの記録媒体として用いられるハードディスクの分解斜視図である。
図３に示すように、カートリッジ本体に収納されるハードディスク５は、ハードディスク基板に磁性層や保護層が被着して形成されたディスク本体６を有する。
ディスク本体６の中央部には、センタ孔（センターホール）７が設けてあり、このセンタ孔７には、ディスクドライブ装置３１の回転操作機構に対するクランプ部を構成するハブ機構８が取り付けられている。
このハブ機構８は、センタ孔７を閉塞するに足る大きさに略円形に形成された上ハブ９と下ハブ１１とからなる。
【００３４】
上下ハブ９，１１は、金属等の磁性材料により形成され、回転操作機構を構成するマグネットにより磁気吸引される。また、上下ハブ９，１１の中心部には、回転操作機構側のスピンドル軸が挿通される（刺し通される）挿通孔１２，１３が設けてある。
上下ハブ９，１１は、挿通孔１２，１３が連通する（連なった状態となる）ように、ディスク本体６のセンタ孔７の周縁部を挟持するように取り付けられる。そして、ハードディスク５は、回転操作機構のスピンドル軸が挿通孔１２，１３に挿通され、ハブ機構８がマグネットにより磁気吸引されることで、芯出しが図られた状態で回転操作機構を構成する回転テーブル（ディスクテーブル）と一体的に回転する。
【００３５】
図２に示すように、ハードディスクが回転自在に収納されるカートリッジ本体４は、合成樹脂を射出成形等して形成された上下ハーフ２，３を突き合わせて結合して構成されている。
このカートリッジ本体４では、ディスクドライブ装置３１への挿入端となる前面壁４ａが、ハードディスク５の外形と略同一の円弧を有するように、略円弧状に形成されている。
【００３６】
また、上下ハーフ２，３の内面には、カートリッジ本体４の外周壁を構成する立上がり周壁（周壁）２ａ，３ａに内接するように略円弧状の仕切壁が設けてあり、これらの仕切壁は、上下ハーフ２，３を突き合わせて結合したときに、ハードディスク５が回転可能に収納されるディスク収納部を形成する。
【００３７】
カートリッジ本体４の下面を構成する下ハーフ３の略中央部には、ディスクドライブ装置３１側の回転操作機構が進入するディスク駆動用開口部（モータアクセス窓）１４が形成されている。この開口部１４は、ハードディスク５の中央部を露出させる。
なお、ディスク駆動用開口部１４は、下ハーフ（ロアーシェル）３のみに設けられ、上ハーフ（アッパーシェル）２により構成されるカートリッジ本体４の上面側の中央部は、閉塞されている。
【００３８】
カートリッジ本体４の略円弧状の側面に形成された前面壁４ａには、ハードディスク５に対して情報信号の記録又は再生を行う磁気ヘッド装置が進入する記録再生用開口部１５が、略矩形状に形成されている。
この記録再生用開口部（磁気ヘッドアクセス窓）１５は、カートリッジ本体４内に進入した磁気ヘッド装置の先端部に取り付けられた磁気ヘッド素子が、ハードディスク５の内外周にわたって操作できる大きさに形成されている。
【００３９】
図４は、カートリッジ本体に取り付けられるシャッタ部材の取付け状態を示す平面図である。
ディスク駆動用開口部１４および記録再生用開口部１５が形成されたカートリッジ本体４には、ディスク駆動用開口部１４および記録再生用開口部１５を開閉するシャッタ部材１６が取り付けられている。
このシャッタ部材１６は、ディスク駆動用開口部１４を閉塞する第１のシャッタ部を構成する基体部１７と、記録再生用開口部１５を閉塞する第２のシャッタ部１８と、シャッタ部材１６の回動の操作を行うためのシャッタ開放アーム１９と、回動する（正逆方向に円運動する）シャッタ部材１６を支持するための支持アーム２１とを有する。
【００４０】
基体部１７は、カートリッジ本体４の内面と摺動する（接触状態ですれて動く）ように略平板状に形成されている。
この基体部１７には、シャッタ部材１６の回動方向と略平行となるようにガイド孔２２，２３が形成されている。ガイド孔２２，２３は、下ハーフ３の内面に突設された（突き出した状態で設けられた）ガイド突起がはめ込まれて係合されている（係わり合っている）。
そして、基体部１７には、ガイド孔２２，２３に挟まれた略中央部に、ディスク駆動用開口部１４を閉塞する第１のシャッタ部２４が形成されている。
【００４１】
基体部１７の先端部には、記録再生用開口部１５を閉塞する第２のシャッタ部１８が形成されている。
第２のシャッタ部１８は、基体部１７の先端部に、カートリッジ本体４の前面壁４ａと略同じ曲率で略円弧状に形成され、記録再生用開口部１５を閉塞するに足る大きさに形成されている。
【００４２】
シャッタ開放アーム１９は、カートリッジ本体４の一方の側壁４ｂ側（図２参照）に、基体部１７と一体に形成されている。前記側壁４ｂは、ディスクカートリッジ１の挿脱方向と平行になっている。
シャッタ開放アーム１９の先端部は、カートリッジ本体４の側壁４ｂの背面側に設けられたガイド孔２５より外方に臨まされている。そして、このガイド孔２５よりカートリッジ本体４の外方に臨まされた先端部には、ディスクドライブ装置３１側のシャッタ開放機構が係合される係合片２６が形成されている。
【００４３】
また、基体部１７の基端側には、回動するシャッタ部材１６を支持する支持アーム２１が設けられている。
支持アーム２１は、先端部に軸孔２１ａが設けてある。この軸孔２１ａには、カートリッジ本体４の背面壁４ｃに近接して下ハーフ３の内面に設けられた支軸２１ｂが挿通されている。
シャッタ部材１６は、支軸２１ｂを回動の支点として、ディスク駆動用開口部１４および記録再生用開口部１５を開閉する図４中矢印Ａ方向に回動するように、カートリッジ本体４内に配置されている。
【００４４】
シャッタ部材１６は、捻りコイルバネ２７により、図４中の矢印Ａ方向に付勢されている。この捻りコイルバネ２７は、カートリッジ本体４の背面壁４ｃの近傍に配置されている。
捻りコイルバネ２７の一端がカートリッジ本体４に係止され、他端が支持アームのツメ２１Ｔに係合または係止される（係わり合って止められる）ことで、シャッタ部材１６を図４中の矢印Ａ方向に付勢している（勢いを付けている）。
そして、シャッタ部材１６は、ディスクドライブ装置３１に装着された装着時（使用時）では開口部１４，１５を開放し、非装着時（非使用時）では開口部１４，１５を閉じてカートリッジ本体４内に塵埃等の異物が侵入することを防止している。
【００４５】
また、下ハーフ３の背面壁４ｃ側の両コーナ部近傍には、ディスクカートリッジ１がディスクドライブ装置３１に装着されたとき、装着位置の位置決めを行う位置決めピンが係合される位置決め凹部２８，２９が形成されている。
一方の位置決め凹部２８は、断面形状が円形をなし、基準部として機能し、他方の位置決め凹部２９は、位置決めピンに対する係合位置を補正できるように長孔により形成されている。
【００４６】
以上のように構成されたディスクカートリッジ１は、非使用時にあっては、シャッタ部材１６がディスク駆動用開口部１４および記録再生用開口部１５を閉塞した状態にある。利用者は、ディスクドライブ装置３１への挿入端が略円弧状に形成されているので、ディスクドライブ装置３１への挿入方向を容易に識別することができる。
【００４７】
カートリッジ本体４の前面壁４ａを挿入端として、ディスクカートリッジ１をディスクドライブ装置３１の挿脱口３３より挿入すると、カートリッジ本体４の側壁４ｂより外方に臨まされた係合片２６にディスクドライブ装置３１側のシャッタ開放機構が係合することで、係合片２６がカートリッジ本体４の背面壁４ｃ側に移動され、シャッタ部材１６は、図４中反矢印Ａ方向に回動され、ディスク駆動用開口部１４および記録再生用開口部１５を開放する。
そして、ディスク駆動用開口部１４からは、ディスクドライブ装置３１側の回転操作機構が進入し、ハブ機構８を回転操作機構側のマグネットで磁気吸引することで、回転操作機構はハードディスク５をクランプする。
【００４８】
また、記録再生用開口部１５からは、記録再生手段を構成する磁気ヘッド装置が進入する。カートリッジ本体４内のハードディスク５は、回転操作機構のスピンドルモータが駆動されることでディスクテーブルと同期して回転すると共に、磁気ヘッド装置の先端部の磁気ヘッド素子がハードディスク５の径方向に移動するように操作されることで、情報信号の記録または再生が行われる。
【００４９】
図５は、ディスクドライブ装置の平面図である。図６は、ディスクドライブ装置の断面図である。
図５および図６に示すように、ディスクドライブ装置３１を構成する装置本体３２は、ディスクカートリッジ１が装着される装着部３４を構成するベース３５と、装着部３４に装着されるディスクカートリッジ１を保持するカートリッジホルダ３６とを備える。
カートリッジホルダ３６は、ディスクカートリッジ１が挿脱口３３より挿入されると、ディスクカートリッジ１を保持してベース３５の方向へ下降することで、ディスクカートリッジ１を装着部３４に装着する。
【００５０】
ここで、ベース３５には、ディスクカートリッジ１内のハードディスク５を回転させる回転操作機構３７と、ハードディスク５に対して情報信号の記録または再生を行う磁気ヘッド装置３８とが配置されている。
【００５１】
回転操作機構３７は、図５および図６に示すように、ハードディスク５をハブ機構８で回転可能に支持するディスクテーブル３９を有する。
このディスクテーブル３９の中心部は、ハブ機構８の挿通孔１２，１３に挿通するスピンドル軸４１に取り付けられている。また、ディスクテーブル３９は、スピンドル軸４１の周囲に、ハードディスク５を支持するディスク支持部４２が設けられている。
このディスク支持部４２の内周側には、磁性材料からなるハブ機構８を磁気吸引するため、スピンドル軸４１を中心に均一または実質的に均一な磁界を発生するリング状のマグネット４３が配置されている。
【００５２】
ディスクテーブル３９は、ディスクカートリッジ１が装着部３４に装着されると、カートリッジ本体４の下面に形成されたディスク駆動用開口部１４よりカートリッジ本体４内に進入し、ハブ機構８を磁気吸引することによりハードディスク５を回転可能な状態で支持する。
【００５３】
ディスクテーブル３９は、駆動部４４により回転する。この駆動部４４は、ディスクテーブル３９の外周端に垂下して設けられたロータ部４５と、ロータ部４５の内面に配置され、磁界を発生するマグネット４５ａと、このマグネット４５ａと対向してステータ４６に配置された駆動コイル４６ａとを有する。
駆動部４４は、駆動コイル４６ａに駆動電流が供給されると、当該駆動電流とマグネット４５ａの磁界との作用により、ロータ部４５と共にディスクテーブル３９を回転させる。
【００５４】
図７は、シール部材の斜視図である。
図７および図６に示すように、回転操作機構３７が配置されたベース３５には、ディスクカートリッジ１が装着部３４に装着されている時にカートリッジ本体４の下面に先端部が圧接される（押し当てられて接する）シール部材４７が、回転操作機構３７の周囲に配置されている。
【００５５】
シール部材４７は、エラストマーやゴム等の弾性部材により形成され、回転操作機構３７（またはディスクテーブル３９）を囲むようにベース３５に取り付けてある。
このシール部材４７は、環状の基部（基端部）４７Ｂと、この基部４７Ｂから突出したリップ（圧接部）４８とを有し、リップ４８は基部４７Ｂから先端部に向かって拡径する（径が広がる）よう形成されている。
【００５６】
図９は、ディスクカートリッジが装着部に装着された状態のディスクドライブ装置の断面図である。
図１０は、ディスクカートリッジが装着部に装着されたときのシール部材の周辺のディスクドライブ装置の断面図である。
図９および図１０に示すように、シール部材４７は、ディスクカートリッジ１が装着部３４に装着されると、リップ４８がカートリッジ本体４の下面のディスク駆動用開口部１４の周囲に圧接され、拡径する方向に均一に弾性変位し、カートリッジ本体４の下面に密着する。
また、リップ４８は、先端部がカートリッジ本体４の下面に対して円滑に摺動するように、また、シール性が向上するように、カートリッジ本体４の下面に接する部分が略円弧状に形成されている。なお、シール部材４７の基部４７Ｂの底面は、装着部４７の表面に接着層４７Ｓを介して接着されている。
【００５７】
カートリッジホルダ３６の天板６１には、装着部３４に装着されたディスクカートリッジ１をベース３５側に押圧する（力を加えて押しつける）押圧部材６２が取り付けてある。
ところで、シール部材４７が弾性変位する荷重Ｗは、装着部３４に装着されたディスクカートリッジ１をベース３５側に押圧する押圧部材６２の押圧力をＰとし、ディスクカートリッジ１の重さをＳとすると、
Ｗ＜Ｐ＋Ｓ
となる。すなわち、シール部材４７は、弾性変位する荷重Ｗをディスクカートリッジ１の重さＳと押圧部材６２の押圧力Ｐとを加算した荷重より小さくすることで、ディスクカートリッジ１が装着部３４に装着されたとき、リップ４８は、カートリッジ本体４の下面に押圧されて弾性変位する。
【００５８】
図８は、シール部材の弾性変位量を説明するための断面図である。
図８に示すように、リップ４８の弾性変位量Ｌは、シール部材４７の基端部から先端部までの厚みをＴとすると、一例として、
Ｌ＜Ｔ／３
としている。すなわち、シール部材４７は、シール部材４７の厚みの１／３程度弾性変位させることで、リップ４８がカートリッジ本体４の下面に密着するようにしている。ここで、シール部材のリップの弾性変位量Ｌは、例えば５ｍｍ以下であり、約１ｍｍ程度としてもよく、約０．２ｍｍ程度としてもよい。
【００５９】
このように構成されるシール部材４７は、ディスクカートリッジ１の高さ方向の装着位置の位置決めを図る高さ位置決め突起４９により、ベース３５に取り付けられる。
すなわち、シール部材４７の基部４７Ｂには、貫通孔である取付孔５１が周回り方向に複数設けてあり（図７参照）、取付孔５１に高さ位置決め突起４９をはめ込んでベース３５に取り付けることで、シール部材４７がベース３５に取り付けられる。なお、高さ位置決め突起４９は、リップ４８の先端より低く形成することで、ディスクカートリッジ１が装着部３４に装着されたとき、リップ４８がカートリッジ本体４に圧接し、拡径する方向に弾性変位するようにしている。
【００６０】
以上のようなシール部材４７は、ディスクカートリッジ１が装着部３４に装着されると、リップ４８がカートリッジ本体４の下面に押圧されることで弾性変位し拡径する。
これにより、リップ４８は、カートリッジ本体４の下面に密着し、カートリッジ本体４の下面に形成されたディスク駆動用開口部１４は、回転操作機構３７とシール部材４７とによりシール（密閉または密封）され、ディスク駆動用開口部１４より塵埃等の異物がカートリッジ本体４内に進入することが防止される。
【００６１】
また、ベース３５には、カートリッジ本体４内に収納されたハードディスク５に対して情報信号の記録又は再生を行う磁気ヘッド装置３８が配置されている。この磁気ヘッド装置３８は、図５に示すように、先端側に磁気ヘッド素子５２を一体的に取り付けたヘッドスライダ５３を支持する回動アーム５４と、回動アーム５４の回動の操作を行うボイスコイルモータ５５とを備える。
【００６２】
回動アーム５４は、ベース３５に立てられた支軸５６に中途部が支持され、支軸５６を中心にして、図５中矢印Ｒおよび反矢印Ｒ方向に回動される。
ヘッドスライダ５３は、装着部３４側に向かって、回動アーム５４に対して略直角となるように、回動アーム５４の先端部に取り付けられている。サスペンション５３Ｓは、ハードディスク５に対して近接離間する方向に弾性変位可能に形成されている。
【００６３】
ボイスコイルモータ５５は、回動アーム５４の基端側に取り付けられた駆動コイル５７と、駆動コイル５７に対向してベース３５上に配置されたマグネットおよびヨークからなる磁気回路部５８とから構成される。
このボイスコイルモータ５５は、駆動コイル５７に供給される駆動電流と磁気回路部５８の磁界との作用により回動アーム５４を支軸５６を中心にして図５中矢印Ｒおよび反矢印Ｒ方向に回動させる。
サスペンション５３Ｓの先端部に取り付けられたスライダ５３（または磁気ヘッド素子５２）は、回動アーム５４を図５中矢印Ｒおよび反矢印Ｒ方向に回動することで、ハードディスク５の内外周にわたって移動するように操作される。
【００６４】
以上のように回転操作機構３７や磁気ヘッド装置３８が組み込まれたベース３５には、ディスクドライブ装置３１に挿入されたディスクカートリッジ１を保持するカートリッジホルダ３６が取り付けられている。
このカートリッジホルダ３６は、天板６１と、ディスクカートリッジ１のディスクドライブ装置３１への挿入方向と平行な側縁部を保持する一対の保持部（不図示）とを備える。
そして、カートリッジホルダ３６は、ディスクカートリッジが装置本体３２に挿入されると、カートリッジ本体４の両側縁部を前記保持部で保持し、次にベース３５の方向へ下降することで、ディスクカートリッジ１を装着部３４に装着する。
【００６５】
このカートリッジホルダ３６の天板６１には、図６および図９に示すように、装着部３４に装着されたディスクカートリッジ１をベース３５側に押圧する複数の押圧部材６２が配置されている。
押圧部材６２は、例えば板ばねよりなり、カートリッジホルダ３６に保持されたディスクカートリッジ１をベース３５に押圧できる程度の角度をもって天板６１に対して傾斜するように配置されて取り付けてある。
押圧部材６２は、カートリッジホルダ３６に保持されたディスクカートリッジ１を装着部３４に押圧することで、ディスクカートリッジ１の装着位置を規制するとともに、ディスクカートリッジ１の下面をシール部材４７のリップ４８に押し当てている。
【００６６】
以上のように構成されたディスクドライブ装置３１は、図１に示すように、装置本体３２の前面に形成された挿脱口３３より挿入されると、次のように動作する。
ディスクカートリッジ１が装置本体３２に挿入されると、ディスクカートリッジ１は、カートリッジホルダ３６の保持部で両側縁部が保持される。
【００６７】
次に、カートリッジホルダ３６は、ベース３５の方向に下降することで、ディスクカートリッジ１を装着部３４に装着させる。
このとき、ディスクカートリッジ１のシャッタ部材１６は、カートリッジ本体４の側壁４ｂより外方に臨まされた係合片２６にディスクドライブ装置３１側のシャッタ開放機構が係合することで、係合片２６がカートリッジ本体４の背面壁４ｃ側に移動され、シャッタ部材１６は、図４中反矢印Ａ方向に回動され、ディスク駆動用開口部１４および記録再生用開口部１５を開放する。
【００６８】
すると、図９に示すように、ディスク駆動用開口部１４からは、ディスクドライブ装置３１側の回転操作機構３７が進入し、ハブ機構８を回転操作機構３７のマグネット４３で磁気吸引することで、回転操作機構３７はハードディスク５をクランプする。また、記録再生用開口部１５からは、磁気ヘッド装置３８が進入する。
【００６９】
この状態で、押圧部材６２は、カートリッジホルダ３６に保持されたディスクカートリッジ１を装着部３４に押圧することで、ディスクカートリッジ１の装着位置を規制すると共に、カートリッジ本体４の下面をシール部材４７のリップ４８に押圧する。
すると、図１０に示すように、シール部材４７は、リップ４８がカートリッジ本体４の下面に押圧されることで弾性変位し拡径する。これにより、リップ４８は、カートリッジ本体４の下面に密着し、カートリッジ本体４の下面に形成されたディスク駆動用開口部１４は、装着部３４、回転操作機構３７およびシール部材４７によりシールされ、駆動用開口部１４より塵埃等の異物がカートリッジ本体４内に進入することが防止される。
【００７０】
そして、回転操作機構３７の駆動部４４が駆動されてハードディスク５が回転すると、カートリッジ本体４の内面とハードディスク５との間にエア流が形成されると共に、駆動用開口部１４と回転操作機構３７（またはディスクテーブル３９）との間の間隙よりエアを吸引しようとする気圧が発生する。
しかしながら、駆動用開口部１４の周囲には、シール部材４７のリップ４８がカートリッジ本体４の下面に圧接されていることから、このエア流はシール部材４７により遮断され、シール部材４７の外部の空気が駆動用開口部１４から吸引されることが防止される。
したがって、カートリッジ本体４内には、装置本体３２内の塵埃を含むエアがカートリッジ本体４内に侵入することを防止することができ、カートリッジ本体４内のハードディスク５に塵埃等の異物が付着することを防止することができる。
【００７１】
磁気ヘッド装置３８を構成する磁気ヘッド素子５２は、ハードディスク５が高速で回転すると、数十ｎｍ程度浮上し、この浮上した状態で磁気ヘッド素子５２は、ハードディスク５の径方向にわたって移動するように操作される。
このとき、カートリッジ本体４は、シール部材４７によりカートリッジ本体４内に塵埃等が侵入することが防止されていることから、ハードディスク５に付着した塵埃等と磁気ヘッド素子５２との衝突をなくすことができ、磁気ヘッド素子５２は、ハードディスク５からの浮上状態が安定し、確実に情報信号の記録又は再生を行うことができる。
【００７２】
また、本発明が適用されたディスクドライブ装置は、次のように構成することもできる。なお、上述したディスクドライブ装置３１と同一の部材については、同一の符号を付して詳細は適宜省略する。
図１１は、ディスクドライブ装置３１の変形例であるディスクドライブ装置の断面図である。図１１に示すように、このディスクドライブ装置７１は、シール部材７２のリップ７３，７４が上下に対称に設けられている。
【００７３】
図１２は、シール部材の斜視図である。
図１２および図１１に示すように、シール部材７２は、エラストマーやゴム等の弾性部材によりリング状に形成され、回転操作機構３７（またはディスクテーブル３９）を囲むようにベース３５に配置されている。
このシール部材７２は、環状の基部７５と、この基部７５から突出した第１および第２のリップ７３，７４を有し、基部７５の上面側に第１のリップ７３が突出しており、基部７５の下面側に第２のリップ７４が突出している。第１および第２のリップ７３，７４は、基部７５から先端部に向かって外方側に広がった形状を有する。
【００７４】
このように、シール部材７２は、厚さ方向の中央部から上側に第１のリップ７３が形成され、下側に第２のリップ７４が形成されている。
第１のリップ７３は、カートリッジ本体４の下面のディスク駆動用開口部１４の周辺部に圧接されるものであり、厚さ方向の中央部から先端部に向かって拡径するように形成されている。
第２のリップ７４は、ベース３５に圧接されるものであり、厚さ方向の中央部から先端部に向かって拡径するように形成されている。
【００７５】
第１および第２のリップ７３，７４は、ディスクカートリッジ１が装着部３４に装着されると、ディスクカートリッジ１の重さとカートリッジホルダ３６の天板６１に取り付けられた押圧部材６２の押圧力を加算した荷重が加えられることにより、拡径する方向に均一に弾性変位し、カートリッジ本体４の下面およびベース３５に圧接する。
また、第１および第２のリップ７３，７４は、先端部がカートリッジ本体４の下面およびベース３５に対して円滑に移動するように、カートリッジ本体４の下面に接する部分が略円弧状に形成されている。
シール部材７２では、第１のリップ７３がカートリッジ本体４の下面に押し当てられて接し、第２のリップ７４がベース３５に押し当てられて接するので、シール部材７２をベース３５に接着せずに取り付けることができ、取付けの手間を軽減可能であり、コストの点で有利である。
【００７６】
このように構成されたシール部材７２は、装着部３４に装着されるディスクカートリッジ１の高さ方向の装着位置の位置決めを図る高さ位置決め突起４９によりベース３５に取り付けられる。
シール部材７２は、厚さ方向の中央部より内方側に向かって取付片７５が形成されており、この取付片７５が基部を構成している。この取付片７５には、複数の取付孔７６が周回り方向に設けてある（図１２参照）。
取付孔７６には、図１１に示すように、ディスクカートリッジ１の高さ方向の装着位置の位置決めを図る高さ位置決め突起４９が挿通され、シール部材７２が僅かに高さ位置決め突起４９の高さ方向に移動可能な状態で取り付けられる。
【００７７】
以上のように構成されたディスクドライブ装置７１は、参考となる図１に示すように、装置本体の前面に形成された挿脱口より挿入されると、次のように動作する。
ディスクカートリッジ１が装置本体に挿入されると、ディスクカートリッジ１は、カートリッジホルダ３６の保持部で両側縁部が保持される。
【００７８】
次に、カートリッジホルダ３６は、ベース３５の方向に下降することで、ディスクカートリッジ１を装着部３４に装着させる。このとき、ディスクカートリッジ１のシャッタ部材１６は、参考となる図４中の反矢印Ａ方向に回動され、ディスク駆動用開口部１４および記録再生用開口部１５を開放する。
すると、図１３に示すように、ディスク駆動用開口部１４からは、ディスクドライブ装置７１側の回転操作機構３７が進入し、ディスクテーブル３９に取り付けられたマグネット４３でハブ機構８を磁気吸引することで、ディスクテーブル３９はハードディスク５をクランプする。
【００７９】
図１３は、ディスクカートリッジが装着部に装着された状態のディスクドライブ装置の断面図である。
図１３に示すように、押圧部材６２は、カートリッジホルダ３６に保持されたディスクカートリッジ１を装着部３４に押圧することで、ディスクカートリッジ１の装着位置を規制すると共に、ディスクカートリッジ１の下面をシール部材７２の第１のリップ７３に押圧する。
すると、シール部材７２は、ディスクカートリッジ１に押圧されることで、高さ位置決め突起４９に沿って僅かに下降し、第２のリップ７４はベース３５に圧接される。
【００８０】
図１４は、ディスクカートリッジが装着部に装着されたときのシール部材の周辺のディスクドライブ装置の断面図である。
図１４に示すように、シール部材７２は、ディスクカートリッジ１とベース３５に挟まれた状態となり、第１のリップ７３は、カートリッジ本体４の下面に押圧されることで、拡径する方向に弾性変位し、カートリッジ本体４の下面に密着され、第２のリップ７４も拡径する方向に弾性変位し、ベース３５に密着される。
これにより、カートリッジ本体４の下面に形成されたディスク駆動用開口部１４は、装着部３４、回転操作機構３７およびシール部材７２によりシールされ、ディスク駆動用開口部１４より塵埃等の異物がカートリッジ本体４内に進入することが防止される。
【００８１】
そして、回転操作機構３７の駆動部４４が駆動されてハードディスク５が回転すると、カートリッジ本体４の内面とハードディスク５との間にエア流が形成されると共に、ディスク駆動用開口部１４と回転操作機構３７との間の間隙より、エアを吸引しようとする気圧が発生する。
しかしながら、ディスク駆動用開口部１４の周囲にはシール部材７２の第１のリップ７３がカートリッジ本体４の下面に圧接され、第２のリップ７４がベース３５に圧接されていることから、このエア流はシール部材７２により遮断され、シール部材７２の外側のエアが駆動用開口部１４から吸引されることが防止される。
【００８２】
したがって、カートリッジ本体４内には、装置本体内（またはカートリッジホルダ３６内）の塵埃を含むエアがカートリッジ本体４内に侵入することを防止することができ、カートリッジ本体４内のハードディスク５に塵埃等の異物が付着することを防止することができる。
また、ハードディスク５に付着した塵埃等と磁気ヘッド素子５２との衝突を無くすことができ、磁気ヘッド素子５２は、ハードディスク５からの浮上状態が安定し、確実に情報信号の記録又は再生を行うことができる。
【００８３】
また、本発明が適用されたディスクドライブ装置は、次のように構成することもできる。なお、上述したディスクドライブ装置３１と同一の部材については、同一の符号を付して詳細は適宜省略する。
図１５は、リップが上下対称に設けられたシール部材の断面図である。
図１６は、高さ位置決め突起の周辺のディスクドライブ装置の概略的な断面図であり、図１５のシール部材が高さ位置決め突起に取り付けられた状態を示している。
図１６および図１５に示すように、このディスクドライブ装置８１では、シール部材８２は、リップ８３〜８６が中心を同じくして形成され、径の異なる複数のリップが上下対称に形成されている。
このように、シール部材８２は、環状の基部８８と、この基部８８から突出して外方側に広がった形状のリップ８３〜８６とを有し、基部８８の上面側にリップ８３，８４が突出しており、基部８８の下面側にリップ８５，８６が突出している。
【００８４】
シール部材８２は、エラストマーやゴム等の弾性部材によりリング状に形成され、回転操作機構３７（またはディスクテーブル）を囲むようにベース３５に配置される。
このシール部材８２は、厚さ方向の中央部から上側に向かって中心を一致させて径の異なる第１のリップ８３と第２のリップ８４とが形成され、厚さ方向の中央部から下側に向かって第３のリップ８５と第４のリップ８６とが形成されている。
【００８５】
シール部材８２の厚さ方向の中央部より上側に向かって形成された第１および第２のリップ８３，８４は、カートリッジ本体４の下面のディスク駆動用開口部１４の周辺部に圧接される。
第１のリップ８３と第２のリップ８４は、中心を一致させてリング状に形成され、第１のリップ８３は、第２のリップ８４の外周側（または外方側）に設けられている。そして、第１および第２の圧接部８３，８４は、先端側に向かって拡径するように形成されている。
【００８６】
第１のリップ８３は、第２のリップ８４より長く形成され、先端が第２のリップ８４の先端より高くなるように形成されている。このように、第１のリップ８３は、第２のリップ８４より長く形成され、先端が第２のリップ８４より高くなるように形成されることで、カートリッジ本体４の下面を押圧する押圧力が第２のリップ８４の押圧力と同じになるようにしている。
なお、第１のリップ８３と第２のリップ８４の厚さを変えることで、押圧力を同じにすることが可能であり、リップの傾斜角を変えることでも押圧力を同じにすることが可能である。
第１および第２の圧接部８３，８４は、先端部がカートリッジ本体４の下面に対して円滑に移動するように、カートリッジ本体４の下面に接する部分が略円弧状に形成されている。
【００８７】
シール部材８２の厚さ方向の中央部より下側に向かって形成された第３および第４のリップ８５，８６は、ベース３５の表面であって回転操作機構３７（またはディスクテーブル）の周辺部に圧接される。
第３および第４のリップ８５，８６は、中心を一致させてリング状に形成され、第３のリップ８５は、第４のリップ８６の外周側に設けられている。そして、第３および第４のリップ８５，８６は、先端側に向かって拡径するように形成されている。
【００８８】
第３のリップ８５は、第４のリップ８６より長く形成され、先端が第３のリップ８５の先端より高くなるように形成されている。このように、第３のリップ８５は、第４のリップ８６より長く形成され、先端が第３のリップ８５より高くなるように形成されることで、ベース３５の回転操作機構３７の周辺部を押圧する押圧力が第４のリップ８６の押圧力と同じになるようにしている。
なお、第３のリップ８５と第４のリップ８６の厚さを変えることで、押圧力を同じにすることが可能であり、リップの傾斜角を変えることでも押圧力を同じにすることが可能である。
第３および第４のリップ８５，８６は、先端部がベース３５に対して円滑に移動するように、ベース３５に接する部分が略円弧状に形成されている。
【００８９】
このシール部材８２は、ディスクカートリッジ１の高さ方向の装着位置の位置決めを図る高さ位置決め突起４９により、ベース３５に取り付けられる。
すなわち、シール部材８２は、厚さ方向の中央部より内方側に向かって取付片８８が形成されており、この取付片８８は基部を構成している。取付片８８には、複数の取付孔８９が周回り方向に設けてある。
取付孔８９には、図１６に示すように、ディスクカートリッジ１の高さ方向の装着位置の位置決めを図る高さ位置決め突起４９が挿通され、取付孔８９の周囲の取付片８８が高さ位置決め突起４９の先端部に形成された頭であるフランジ部４９ａに係止されることで、高さ方向の位置決めが図られた状態でシール部材８２が取り付けられる。
このとき、第３および第４のリップ８５，８６は、拡径する方向に弾性変位し、同じ押圧力でベース３５に圧接される。
【００９０】
これにより第３および第４のリップ８５，８６は、ハードディスク５が回転操作機構３７により回転したとき、ハードディスク５の回転により生じたエア流とともに塵埃等がカートリッジ本体４内に侵入することを防止している。
また、第３のリップ８５の内周側には第４のリップ８６が設けられ、２重構造となっていることから、一方のリップが破損した場合にもカートリッジ本体４の開口部１４のシール性（密閉性または密封性）を保持することができ、耐久性の向上および信頼性の向上が可能である。
【００９１】
以上のようなシール部材８２を備えるディスクドライブ装置８１は、ディスクカートリッジ１が装着部３４に装着されると、ディスクカートリッジ１の重さとカートリッジホルダ３６の天板６１に取り付けられた押圧部材６２の押圧力を加算した荷重が加えられることにより、第１および第２のリップ８３，８４が拡径する方向に均一に弾性変位し、カートリッジ本体４の下面に圧接され、カートリッジ本体４の下面に密着される。
これにより、カートリッジ本体４の下面に形成された駆動用開口部１４は、装着部３４、回転操作機構３７およびシール部材８２によりシールされ、駆動用開口部１４より塵埃等の異物がカートリッジ本体４内に進入することが防止される。
【００９２】
そして、回転操作機構３７の駆動部４４が駆動されてハードディスク５が回転すると、カートリッジ本体４の内面とハードディスク５との間にエア流が形成されると共に、駆動用開口部１４と回転操作機構３７との間の間隙よりエアを吸引しようとする気圧が発生する。
しかしながら、駆動用開口部１４の周囲（または周辺部）には、シール部材８２の第１および第２のリップ８３，８４がカートリッジ本体４の下面に圧接され、第３および第４のリップ８５，８６がベース３５に圧接されていることから、このエア流はシール部材８２により遮断され、シール部材８２の外側のエアが駆動用開口部１４から吸引されることが防止される。
【００９３】
したがって、カートリッジ本体４内に、装置本体内の塵埃を含むエアがカートリッジ本体４内に侵入することを防止することができ、カートリッジ本体４内のハードディスク５に塵埃等の異物が付着することを防止することができる。
また、ハードディスク５に付着した塵埃等と磁気ヘッド素子５２との衝突を無くすことができ、磁気ヘッド素子５２は、ハードディスク５からの浮上状態が安定し、確実に情報信号の記録又は再生を行うことができる。
【００９４】
本発明が適用されたディスクドライブ装置は、次のように構成することもできる。なお、上述したディスクドライブ装置３１と同一の部材については、同一の符号を付して詳細は適宜省略する。
図１７は、シール部材の取付け状態を示す断面図である。
図１７に示すように、このディスクドライブ装置に取り付けられたシール部材９１は、シール部材が中心を一致させた複数の径の異なるリップを有する。
【００９５】
シール部材９１は、エラストマーやゴム等の弾性部材によりリング状に形成され、回転操作機構３７（またはディスクテーブル）を囲むようにベース３５に配置されている。
シール部材９１は、環状の基部９１Ｂと、この基部９１Ｂから突出して外方側に広がった形状のリップ９２，９３とを有し、基部９１Ｂの上下面のうち一方の面の側にリップ９２，９３が突出している。このシール部材９１には、カートリッジ本体４の下面でディスク駆動用開口部１４の周囲（または周辺部）に圧接される第１のリップ９２と第２のリップ９３とが形成されている。
【００９６】
第１のリップ９２と第２のリップ９３は、中心を一致させて形成され、第１のリップ９２は、第２のリップ９３の外周側に形成されている。
第１および第２の圧接部９２，９３は、ともに拡径するように形成され、ディスクカートリッジ１が装着部３４に装着されたとき、先端部がカートリッジ本体４の下面に圧接され、拡径する方向に弾性変位するように形成されている。
【００９７】
第１のリップ９２は、第２のリップ９３よりも長く形成され、先端が第２のリップ９３の先端より高くなるように形成されている。このように、第１のリップ９２は、第２のリップ９３より長く形成され、先端が第２のリップ９３より高くなるように形成されることで、カートリッジ本体４の下面を押圧する押圧力が第２のリップ９３の押圧力と同じになるようにしている。
なお、第１のリップ９２と第２のリップ９３の厚さを変えることで、押圧力を同じにすることが可能であり、リップの傾斜角を変えることでも押圧力を同じにすることが可能である。
また、第１および第２のリップ９２，９３は、先端部がカートリッジ本体４の下面に対して円滑に摺動するように、カートリッジ本体４の下面に接する部分が略円弧状に形成されている。
そして、このシール部材９１は、高さ位置決め突起４９に取り付けられ、または基部９１Ｂの底面がベース３５に接着剤１０５を介して取り付けられる。
【００９８】
以上のようなシール部材９１を備えたディスクドライブ装置は、ディスクカートリッジ１が装着部３４に装着されると、ディスクカートリッジ１の重さとカートリッジホルダ３６の天板６１に取り付けられた押圧部材６２の押圧力を加算した荷重が加えられることにより、第１および第２のリップ９２，９３が拡径する方向に均一に弾性変位し、カートリッジ本体４の下面に圧接され、カートリッジ本体４の下面に密着される。
これにより、カートリッジ本体４の下面の駆動用開口部１４は、装着部３４、回転操作機構３７およびシール部材９１によりシールされ、駆動用開口部１４より塵埃等の異物がカートリッジ本体４内に進入することが防止される。
【００９９】
回転操作機構３７の駆動部４４が駆動されてハードディスク５が回転すると、カートリッジ本体４の内面とハードディスク５との間にエア流が形成されると共に、駆動用開口部１４と回転操作機構３７との間の間隙よりエアを吸引しようとする気圧が発生する。
しかしながら、駆動用開口部１４の周囲（周辺部）には、シール部材９１の第１および第２のリップ９２，９３がカートリッジ本体４の下面に圧接されていることから、このエア流はシール部材９１により遮断され、シール部材９１の外側のエアが駆動用開口部１４から吸引されることが防止される。
【０１００】
したがって、カートリッジ本体４内には、装置本体内の塵埃を含むエアがカートリッジ本体４内に侵入することを防止することができ、カートリッジ本体４内のハードディスク５に塵埃等の異物が付着することを防止することができる。
また、ハードディスク５に付着した塵埃等と磁気ヘッド素子５２との衝突を無くすことができ、磁気ヘッド素子５２は、ハードディスク５からの浮上状態が安定し、確実に情報信号の記録又は再生を行うことができる。
【０１０１】
また、本発明が適用されたディスクドライブ装置は、次のように構成することもできる。なお、上述したディスクドライブ装置３１と同一の部材については、同一の符号を付して詳細は適宜省略する。
図１８は、フィルタ上にシール部材が設けられた例を示す断面図である。
このディスクドライブ装置では、空気Ｅを濾過して当該空気Ｅに含まれる塵埃等を除去するフィルタ１０４上に、シール部材１０１が配置されている。
【０１０２】
このディスクドライブ装置に用いられるシール部材１０１は、回転操作機構３７（またはディスクテーブル）を囲むようにベース３５に配置されている。
シール部材１０１は、エラストマーやゴム等の弾性部材によりリング状に形成され、基部（基端部）１０３から先端部に向かって拡径するようリップ１０２が形成されている。
リップ１０２は、ディスクカートリッジ１が装着部３４に装着されると、カートリッジ本体４の下面のディスク駆動用開口部１４の周囲（または周辺部）に圧接され、拡径する方向に均一に弾性変位し、カートリッジ本体４の下面に密着する。
また、リップ１０２は、先端部がカートリッジ本体４の下面に対して円滑に摺動するように、カートリッジ本体４の下面に接する部分が略円弧状に形成されている。
【０１０３】
シール部材１０１の基端部１０３には、シール部材１０１とベース３５とに挟まれるようにして、ハードディスク５の回転時に発生するエア流に含まれる塵埃等を除去するリング状のフィルタ１０４が取り付けられている。
このフィルタ１０４は、圧力損失の大きい材料により形成され、ハードディスク５が回転していないときは空気を通さず、ハードディスク５が回転してエア流が発生したときに、塵埃等が除去された空気（エア）Ｅ’を通すように形成されている。
そして、フィルタ１０４は、接着剤１０５等によりシール部材１０１の基端部１０３およびベース３４に取り付けられる。フィルタ１０４が取り付けられたシール部材１０１は、高さ位置決め突起４９に取り付けられ、または基端部１０３の底面はフィルタ１０４を介してベース３５に接着されて取り付けられる。
【０１０４】
以上のようなフィルタ１０４が取り付けられたシール部材１０１を備えたディスクドライブ装置は、ディスクカートリッジ１が装着部３４に装着されると、ディスクカートリッジ１の重さとカートリッジホルダ３６の天板６１に取り付けられた押圧部材６２の押圧力を加算した荷重が加えられることにより、リップ１０２が拡径する方向に均一に弾性変位し、カートリッジ本体４の下面に圧接され、カートリッジ本体４の下面に密着される。
これにより、カートリッジ本体４の下面の駆動用開口部１４は、装着部３４、回転操作機構３７およびシール部材１０１によりほぼシールされ、駆動用開口部１４より塵埃等の異物がカートリッジ本体４内に進入することが防止される。
【０１０５】
そして、回転操作機構３７の駆動部４４が駆動されてハードディスク５が回転すると、カートリッジ本体４の内面とハードディスク５との間にエア流が形成されると共に、駆動用開口部１４と回転操作機構３７との間の間隙よりエアＥを吸引しようとする気圧が発生する。
すると、シール部材１０１の外側のエアＥは、フィルタ１０４で塵埃等が除去され、清浄なエアＥ’にされてカートリッジ本体４内に流入する。
【０１０６】
したがって、カートリッジ本体４内に塵埃を含むエアＥが流入することが防止でき、ハードディスク５には、塵埃等の異物が付着することを防止することができる。
また、ハードディスク５に付着した塵埃等と磁気ヘッド素子５２との衝突をなくすことができ、磁気ヘッド素子５２は、ハードディスク５からの浮上状態が安定し、確実に情報信号の記録又は再生を行うことができる。
【０１０７】
また、本発明が適用されたディスクドライブ装置は、次のように構成することもできる。なお、上述したディスクドライブ装置３１と同一の部材については、同一の符号を付して詳細は省略する。
図１９は、シール部材１１１のリップ１１２にフィルタ１１４が取り付けられた例を示す断面図である。
このディスクドライブ装置は、空気Ｅを濾過して当該空気Ｅに含まれる塵埃等を除去するフィルタ１１４が、シール部材１１１のリップ１１２に取り付けられている。
【０１０８】
このディスクドライブ装置に用いられるシール部材１１１は、回転操作機構３７（またはディスクテーブル）を囲むようにベース３５に配置されている。
シール部材１１１は、エラストマーやゴム等の弾性部材によりリング状に形成され、基部（基端部）１１１Ｂから先端部に向かって拡径するようにリップ１１２が形成されている。
【０１０９】
シール部材１１１は、ディスクカートリッジ１が装着部３４に装着されると、リップ１１２がカートリッジ本体４の下面のディスク駆動用開口部１４の周囲（または周辺部）に圧接され、拡径する方向に均一に弾性変位し、カートリッジ本体４の下面に密着する。
また、リップ１１２は、先端部がカートリッジ本体４の下面に対して円滑に摺動するように、カートリッジ本体４の下面に接する部分が略円弧状に形成されている。
【０１１０】
リップ１１２には、空気が通過する通過孔である単一または複数のエア透過孔１１３が形成されており、エアＥが含有する塵埃等を除去するフィルタ１１４が、エア透過孔１１３を覆うようにしてリップ１１２の外側（外周側）に取り付けられている。
このフィルタ１１４は、圧力損失の大きい材料により形成され、ハードディスク５が回転していないときは空気を通さず、ハードディスク５が回転したときに、エアＥを濾過して通すように形成されている。そして、フィルタ１１４が取り付けられたシール部材１１１は、高さ位置決め突起４９に取り付けられ、または、シール部材１１１の基部１１１Ｂの底面が接着剤１０５を介してベース３５に接着されて取り付けられる。
【０１１１】
以上のようなフィルタ１１４が取り付けられたシール部材１１１を備えたディスクドライブ装置は、ディスクカートリッジ１が装着部３４に装着されると、ディスクカートリッジ１の重さとカートリッジホルダ３６の天板６１に取り付けられた押圧部材６２の押圧力を加算した荷重が加えられることにより、リップ１１２が拡径する方向に均一に弾性変位し、カートリッジ本体４の下面に圧接され、カートリッジ本体４の下面に密着される。
これにより、カートリッジ本体４の下面の駆動用開口部１４は、装着部３４、回転操作機構３７およびシール部材１１１によりほぼシールされ、駆動用開口部１４より塵埃等の異物がカートリッジ本体４内に進入することが防止される。
【０１１２】
そして、回転操作機構３７が駆動されてハードディスク５が回転すると、カートリッジ本体４の内面とハードディスク５との間にエア流が形成されると共に、ディスク駆動用開口部１４と回転操作機構３７との間の間隙より、エアＥを吸引しようとする気圧が発生する。すると、シール部材１１１の外側のエアＥは、フィルタ１１４で塵埃等が除去され、清浄なエアＥ’にされてカートリッジ本体４内に流入する。
【０１１３】
したがって、カートリッジ本体４内に塵埃を含むエアＥが流入することが防止でき、ハードディスク５に塵埃等の異物が付着することを防止することができる。
また、ハードディスク５に付着した塵埃等と磁気ヘッド素子５２との衝突をなくすことができ、磁気ヘッド素子５２は、ハードディスク５からの浮上状態が安定し、確実に情報信号の記録又は再生を行うことができる。
【０１１４】
また、本発明が適用されたディスクドライブ装置は、次のように構成することもできる。なお、上述したディスクドライブ装置３１と同一の部材については、同一の符号を付して詳細は適宜省略する。
図２０は、高さ位置決め突起がシール部材と一体に設けられた例を示す断面図である。
このディスクドライブ装置は、図２０に示すように、シール部材１２１に高さ位置決め突起１２４が一体的に設けられている。
【０１１５】
このディスクドライブ装置に用いられるシール部材１２１は、回転操作機構３７（またはディスクテーブル）を囲むようにベース３５に配置されている。
シール部材１２１は、エラストマーやゴム等の弾性部材によりリング状に形成され、基部（基端部）１２２から先端部に向かって拡径するようにリップ１２３が形成されている。
【０１１６】
リップ１２３は、ディスクカートリッジ１が装着部３４に装着されると、カートリッジ本体４の下面のディスク駆動用開口部１４の周囲に圧接され、拡径する方向に均一に弾性変位し、カートリッジ本体４の下面に密着する。
また、リップ１２３は、先端部がカートリッジ本体４の下面に対して円滑に摺動するように、カートリッジ本体４の下面に接する部分が略円弧状に形成されている。
【０１１７】
シール部材１２１の基端部１２２には、ディスクカートリッジ１が装着部３４に装着されたときに、装着位置の高さ方向の位置決めを図るための高さ位置決め突起１２４が、一体的に形成されている。
この高さ位置決め突起１２４は、ディスクカートリッジ１が装着部３４に装着されたとき、カートリッジ本体４の下面が押し当てられて接触する。
【０１１８】
高さ位置決め突起１２４の高さは、ディスクカートリッジ１が装着部３４に装着されていない状態において、リップ１２３の先端より低くなるように形成されている。
このように、高さ位置決め突起１２４をリップ１２３の先端より低く形成することで、ディスクカートリッジ１が装着部３４に装着されたとき、リップ１２３をカートリッジ本体４に圧接させ、拡径する方向に弾性変位させている。
このシール部材１２１は、回転操作機構３７（またはディスクテーブル）を囲むように、接着剤１０５等の接着手段を介してベース３５に取り付けられる。
【０１１９】
以上のようなシール部材１２１を備えたディスクドライブ装置は、ディスクカートリッジ１が装着部３４に装着されると、ディスクカートリッジ１の重さとカートリッジホルダ３６の天板６１に取り付けられた押圧部材６２の押圧力を加算した荷重が加えられることにより、リップ１２３が拡径する方向に均一に弾性変位し、カートリッジ本体４の下面に圧接され、カートリッジ本体４の下面に密着される。
これと同時に、ディスクカートリッジ１は、シール部材１２１の基端部１２２に一体的に形成された高さ位置決め突起１２４がカートリッジ本体４の下面に押し当てられて接触することで、高さ方向の位置決めが図られる。
これにより、ディスクカートリッジ１は、シール部材１２１により高さ方向の位置決めが図られるとともに、駆動用開口部１４は、装着部３４、回転操作機構３７およびシール部材１２１によりシールされ、駆動用開口部１４より塵埃等の異物が侵入することが防止される。
【０１２０】
回転操作機構３７の駆動部４４が駆動されてハードディスク５が回転すると、カートリッジ本体４の内面とハードディスク５との間にエア流を形成すると共に、駆動用開口部１４と回転操作機構３７との間の間隙よりエアを吸引しようとする気圧が発生する。
しかしながら、駆動用開口部１４の周囲には、シール部材１２１のリップ１２３がカートリッジ本体４の下面に圧接されていることから、このエア流はシール部材１２１により遮断され、シール部材１２１の外側のエアが駆動用開口部１４から吸引されることが防止される。
【０１２１】
したがって、カートリッジ本体４内には、装置本体内の塵埃を含むエアがカートリッジ本体４内に侵入することを防止することができ、カートリッジ本体４内のハードディスク５に塵埃等の異物が付着することを防止することができる。
また、ハードディスク５に付着した塵埃等と磁気ヘッド素子５２との衝突を無くすことができ、磁気ヘッド素子５２は、ハードディスク５からの浮上状態が安定し、確実に情報信号の記録又は再生を行うことができる。
【０１２２】
以上、本発明が適用されたディスクドライブ装置について図面を参照して説明したが、本発明はこれに限定されるものではない。
例えば、本発明に用いるディスクカートリッジは、ハードディスクの他、光ディスク、光磁気ディスクであってもよい。
記録媒体に光ディスクを用いる場合には、光ディスクと対向する場所、記録再生手段として例えばベースに光ピックアップを配置すればよい。また、光磁気ディスクを記録媒体に用いる場合には、記録再生手段として光ピックアップと磁気ヘッドとを対向配置すればよい。
【０１２３】
図２１および図２２は、光磁気ディスクを回転自在に収納したディスクカートリッジの一例を示す説明図である。図２１は、ディスクカートリッジのシャッタが開いた状態での上面図であり、図２２は、ディスクカートリッジのシャッタが開いた状態での下面図である。
このディスクカートリッジ２０１は、光磁気ディスク２０５と、カートリッジ本体２０４と、シャッタ２１６とを有する。カートリッジ本体２０４は、上ハーフ（アッパーシェル）２０２と、下ハーフ（ロアーシェル）２０３とを突き合わせて結合して構成される。
【０１２４】
上ハーフ２０２の表面には、少しへこんだ位置に平坦な部分（平坦部）２０２Ｓが形成されており、この平坦部２０２Ｓの中に磁気ヘッドアクセス用の開口部２１５が形成されている。シャッタ２１６は、上ハーフ２０２の平坦部２０２Ｓに沿って移動するようになっている。
ディスクカートリッジ２０１は、ディスクドライブ装置への挿入端のうち、シャッタ２１６が閉じる方向の端部２０４ａが略円弧状に形成されており、利用者はディスクドライブ装置への挿入方向を容易に認識することができる。
【０１２５】
下ハーフ２０３の表面には、少しへこんだ位置に平坦部２０３Ｓが形成されており、この平坦部２０３Ｓの中にディスク駆動用開口部２１４および光ピックアップアクセス用の開口部２１０が形成されている。シャッタ２１６は、下ハーフ２０３の平坦部２０３Ｓに沿って移動するようになっている。
【０１２６】
ディスクカートリッジ２０１は、当該ディスクカートリッジ２０１がディスクドライブ装置に装着されていないときは、シャッタ２１６は閉じた状態であり、開口部２１０，２１４，２１５はシャッタ２１６の後ろに隠れている。
【０１２７】
ディスクカートリッジ２０１は、当該ディスクカートリッジ２０１がディスクドライブ装置に装着されると、シャッタ２１６が開くようになっている。
シャッタ２１６が開くと、上ハーフ２０２では磁気ヘッドアクセス用の開口部２１５が現れ、開口部２１５から光磁気ディスク２０５の上表面が露出する。
また、下ハーフ２０３ではディスク駆動用開口部２１４および光ピックアップアクセス用の開口部２１０が現れ、ディスク駆動用開口部２１４から下ハブ２１１および挿通孔２１３が露出し、開口部２１０から光磁気ディスク２０５の下表面が露出する。
【０１２８】
そして、上ハーフ２０２の平坦部２０２Ｓのうち、開口部２１５の周辺部の点線領域２０２Ａには、ディスクドライブ装置の第１のシール部材のリップが密着し、開口部２１５から塵埃がディスクカートリッジ２０１内に進入することを防ぐ。
また、下ハーフ２０３の平坦部２０３Ｓのうち、開口部２１０，２１４を囲む開口部２１０，２１４の周辺部の点線領域２０３Ａには、ディスクドライブ装置の第２のシール部材のリップが密着し、開口部２１０，２１４から塵埃がディスクカートリッジ２０１内に進入することを防ぐ。
段差のない平坦部２０２Ｓ，２０３Ｓにシール部材のリップを圧接することで、シール性を向上することができる。
【０１２９】
図２３および図２４は、第１のシール部材を例示する図である。図２３は、第１のシール部材の平面図である。
図２４は、図２３の第１のシール部材の断面図である。図２４（Ａ）は、図２３の第１のシール部材２７２を点線に沿って切断して矢印Ａ方向に見た場合の断面図であり、図２４（Ｂ）は、図２４（Ａ）の円内の部分を拡大した拡大図である。
【０１３０】
第１のシール部材２７２は、エラストマーやゴム等の弾性部材により形成され、環状の基部２７５と、基部２７５から突出して外方側に広がった形状のリップ２７３，２７４とを有する。基部２７５には、周回り方向に貫通孔である取付孔２７６が複数設けてある。
基部２７５は、所定の形状の周囲に沿う同一幅または略同一幅の帯状をなし、前記所定の形状は長方形と略同一の形状であり、長方形の４隅を少し丸くしている。
第１のリップ２７３は、基部２７５の上面側に突出しており、第２のリップ２７４は、基部２７５の下面側に突出している。第１および第２のリップ２７３，２７４は、基部２７５に関して略対称に形成されている。
【０１３１】
第１のシール部材２７２は、線２７２Ｃに関して左右対称に形成されており、上面図と下面図とが同一となるようにしている。このように、表裏対称（表裏の形状を同じにする）にすることで、ディスクドライブ装置に取り付ける取付け時に、シール部材２７２を上面で取り付けてもよく、下面で取り付けてもよく、取付けの手間を軽減可能としている。
【０１３２】
図２５〜図２７は、第２のシール部材を例示する図である。
図２５は、第２のシール部材の平面図である。
図２６は、図２５の第２のシール部材の斜視図である。
図２７は、図２５の第２のシール部材の断面図である。図２７（Ａ）は、図２６の第２のシール部材３７２を点線に沿って切断して矢印Ａ方向に見た場合の断面図であり、図２７（Ｂ）は、図２７（Ａ）の円内の部分を拡大した拡大図である。
【０１３３】
第２のシール部材３７２は、エラストマーやゴム等の弾性部材により形成され、環状の基部３７５と、基部３７５から突出して外方側に広がった形状のリップ３７３，３７４とを有する。基部３７５には、周回り方向に貫通孔である取付孔３７６が複数設けてある。
基部３７５は、所定の形状の周囲に沿う同一幅または略同一幅の帯状をなし、前記所定の形状は、長方形の１つの短辺を消去して当該短辺の長さに等しい直径を有する半円の円弧を２つの長辺の端につないだ形状と、同一または略同一であり、長方形の残りの２隅を少し丸くしている。
第１のリップ３７３は、基部３７５の上面側に突出しており、第２のリップ３７４は、基部３７５の下面側に突出している。第１および第２のリップ３７３，３７４は、基部３７５に関して略対称に形成されている。
【０１３４】
第２のシール部材３７２は、線３７２Ｃに関して左右対称に形成されており、上面図と下面図とが同一となるようにしている。このように、表裏対称（表裏の形状を同じにする）にすることで、ディスクドライブ装置に取り付ける取付け時に、シール部材３７２を上面で取り付けてもよく、下面で取り付けてもよく、取付けの手間を軽減可能としている。
【０１３５】
また、本発明が適用されたディスクドライブ装置は、次のように構成することもできる。なお、上述したディスクドライブ装置３１と同一の部材については、同一の符号を付して詳細は適宜省略する。
図２８は、ディスクドライブ装置３１の変形例であるディスクドライブ装置の断面図である。図２８に示すように、このディスクドライブ装置２７１は、天板２６１に第１のシール部材２７２が取り付けてあり、ベース２３５に第２のシール部材３７２が取り付けてある。
【０１３６】
図２１〜図２８に示すように、第１のシール部材２７２は、弾性部材によりリング状に形成され、カートリッジホルダ２３６の天板２６１に形成された磁気ヘッドアクセス用の開口部２２０の周囲（または周辺部）を囲むように配置されている。
第１のシール部材２７２は、厚さ方向の中央部から上側に第１のリップ２７３が形成され、下側に第２のリップ２７４が形成されている。
第１のリップ２７３は、天板２６１に圧接されるものであり、厚さ方向の中央部から先端部に向かって拡径するように形成されている。
第２のリップ２７４は、カートリッジ本体２０４の上面に形成された平坦部２０２Ｓの開口部２１５の周辺領域２０２Ａに圧接されるものであり、厚さ方向の中央部から先端部に向かって拡径するように形成されている。
【０１３７】
第２のシール部材３７２は、弾性部材によりリング状に形成され、回転操作機構３７（またはディスクテーブル３９）を囲むように配置されている。
第２のシール部材３７２は、厚さ方向の中央部から上側に第１のリップ３７３が形成され、下側に第２のリップ３７４が形成されている。
第１のリップ３７３は、カートリッジ本体２０４の下面に形成された平坦部２０３Ｓの開口部２１０，２１４の周辺領域２０３Ａに圧接されるものであり、厚さ方向の中央部から先端部に向かって拡径するように形成されている。
第２のリップ３７４は、ベース２３５に圧接されるものであり、厚さ方向の中央部から先端部に向かって拡径するように形成されている。
【０１３８】
第２のシール部材３７２の第１および第２のリップ３７３，３７４は、ディスクカートリッジ２０１が装着部２３４に装着されると、ディスクカートリッジ２０１の重さとカートリッジホルダ２３６の天板２６１に取り付けられた押圧部材２６２の押圧力を加算した荷重が加えられることにより、拡径する方向に均一に弾性変位し、カートリッジ本体２０４の下面およびベース２３５に圧接する。
また、第１および第２のリップ３７３，３７４は、先端部がカートリッジ本体２０４の下面およびベース２３５に対して円滑に移動するように、カートリッジ本体２０４の下面およびベース２３５に接する部分が略円弧状に形成されている。
第２のシール部材３７２では、第１のリップ３７３がカートリッジ本体２０４の下面に押し当てられて接し、第２のリップ３７４がベース３３５に押し当てられて接するので、シール部材３７２をベース２３５に接着せずに取り付けることができ、取付けの手間を軽減可能であり、コストの点で有利である。
【０１３９】
第１のシール部材２７２の第１および第２のリップ２７３，２７４は、ディスクカートリッジ２０１が装着部２３４に装着されると、拡径する方向に均一に弾性変位し、カートリッジ本体２０４の上面および天板２６１に圧接する。
また、第１および第２のリップ２７３，２７４は、先端部がカートリッジ本体２０４の上面および天板２６１に対して円滑に移動するように、カートリッジ本体２０４の上面および天板２６１に接する部分が略円弧状に形成されている。
第１のシール部材２７２では、第１のリップ２７３が天板２６１に押し当てられて接し、第２のリップ２７４がカートリッジ本体２０４の上面に押し当てられて接するので、シール部材２７２を天板２６１に接着せずに取り付けることができ、取付けの手間を軽減可能であり、コストの点で有利である。
【０１４０】
この第１のシール部材２７２は、天板２６１に設けた突起２４９により天板２６１に取り付けられる。
第１のシール部材２７２は、厚さ方向の中央部より内方側に向かって取付片２７５が形成されており、この取付片２７５が基部を構成している。この取付片２７５には、複数の取付孔２７６が周回り方向に設けてある。
取付孔２７６には、図２８に示すように、突起２４９が挿通され、第１のシール部材２７２が僅かに突起２４９の高さ方向に移動可能な状態で取り付けられる。
【０１４１】
第２のシール部材３７２は、装着部２３４に装着されるディスクカートリッジ２０１の高さ方向の装着位置の位置決めを図る高さ位置決め突起３４９によりベース２３５に取り付けられる。
第２のシール部材３７２は、厚さ方向の中央部より内方側に向かって取付片３７５が形成されており、この取付片３７５が基部を構成している。この取付片３７５には、複数の取付孔３７６が周回り方向に設けてある。
取付孔３７６には、図２８に示すように、ディスクカートリッジ２０１の高さ方向の装着位置の位置決めを図る高さ位置決め突起３４９が挿通され、第２のシール部材３７２が僅かに高さ位置決め突起３４９の高さ方向に移動可能な状態で取り付けられる。
【０１４２】
以上のように構成されたディスクドライブ装置２７１は、参考となる図１に示すように、装置本体の前面に形成された挿脱口より挿入されると、次のように動作する。
ディスクカートリッジ２０１が装置本体に挿入されると、ディスクカートリッジ２０１は、カートリッジホルダ２３６の不図示の保持部で両側縁部が保持される。
【０１４３】
次に、カートリッジホルダ２３６は、ベース２３５の方向に下降することで、ディスクカートリッジ２０１を装着部２３４に装着させる。このとき、ディスクカートリッジ２０１のシャッタ部材２１６が開き、開口部２１０，２１４，２１５を開放する。
すると、図２９に示すように、ディスク駆動用開口部２１４からは、ディスクドライブ装置２７１側の回転操作機構３７が進入し、回転操作機構３７のディスクテーブル３９に取り付けられたマグネット４３でハブ機構２０８を磁気吸引することで、回転操作機構３７のディスクテーブル３９は光磁気ディスク２０５をクランプする。
【０１４４】
また、天板２６１の開口部２２０およびディスクカートリッジ２０１の開口部２１５からは、ディスクドライブ装置２７１側の磁気ヘッド素子２５２が進入し、磁気ヘッド素子２５２は光磁気ディスク２０５の上面と近接する位置に移動する。
さらに、ベース２３５の開口部２３０およびディスクカートリッジ２０１の開口部２１０からは、ディスクドライブ装置２７１側の光ピックアップ２６０（または光ピックアップ２６０の対物レンズおよびレンズホルダ）が進入し、光ピックアップ２６０は、レーザ光を光磁気ディスク２０５に集光して照射することができる位置であって光磁気ディスク２０５の下面と近接する位置に移動する。
【０１４５】
図２９は、ディスクカートリッジが装着部に装着された状態のディスクドライブ装置の断面図である。
図２９に示すように、押圧部材２６２は、カートリッジホルダ２３６に保持されたディスクカートリッジ２０１を装着部２３４に押圧することで、ディスクカートリッジ２０１の装着位置を規制すると共に、ディスクカートリッジ２０１の下面を第２のシール部材３７２の第１のリップ３７３に押圧する。
すると、第２のシール部材３７２は、ディスクカートリッジ２０１に押圧されることで、高さ位置決め突起３４９に沿って僅かに下降し、第２のリップ３７４はベース２３５に圧接される。
また、第１のシール部材２７２は、第２のリップ２７４がディスクカートリッジ２０１に押圧されることで、高さ位置決め突起２４９に沿って僅かに上昇し、第１のリップ２７３は天板２６１に圧接される。
【０１４６】
第２のシール部材３７２は、ディスクカートリッジ２０１の平坦部２０３Ｓとベース２３５に挟まれた状態となり、第１のリップ３７３は、カートリッジ本体２０４の下面に押圧されることで、拡径する方向に弾性変位し、カートリッジ本体２０４の下面に密着され、第２のリップ３７４も拡径する方向に弾性変位し、ベース２３５に密着される。
これにより、カートリッジ本体２０４の下面に形成された開口部２１０，２１４の周囲は、装着部２３４（またはベース２３５）、回転操作機構３７および第２のシール部材３７２によりシールされ、塵埃等の異物がディスクカートリッジ２０４と装着部２３４との間から開口部２１０，２１４を経てカートリッジ本体２０４内に進入することを防止可能である。
【０１４７】
また、第１のシール部材２７２は、ディスクカートリッジ２０１の平坦部２０２Ｓと天板２６１に挟まれた状態となり、第２のリップ２７４は、カートリッジ本体２０４の上面に押圧されることで、拡径する方向に弾性変位し、カートリッジ本体２０４の上面に密着され、第１のリップ２７３も拡径する方向に弾性変位し、天板２６１に密着される。
これにより、カートリッジ本体２０４の上面に形成された開口部２１５の周囲は、天板２６１と第１のシール部材２７２とによりシールされ、塵埃等の異物がディスクカートリッジ２０４と天板２６１との間から開口部２１５を経てカートリッジ本体２０４内に進入することを防止可能である。
【０１４８】
したがって、カートリッジ本体２０４内には、カートリッジホルダ２３６内の塵埃を含むエアがカートリッジ本体２０４内に侵入することを防止することができ、カートリッジ本体２０４内の光磁気ディスク２０５に塵埃等の異物が付着することを防止可能である。
また、光磁気ディスク２０５に付着した塵埃等と磁気ヘッド素子２５２との衝突を無くすことが可能であり、磁気ヘッド素子２５２は、光磁気ディスク２０５からの浮上状態が安定し、確実に情報信号の記録又は再生を行うことが可能である。
【０１４９】
図３０および図３１は、光磁気ディスクを回転自在に収納したディスクカートリッジの他の一例を示す説明図である。
図３０（Ａ）は、ディスクカートリッジのシャッタが開いた状態でのシャッタ側の側面図であり、図３０（Ｂ）は、ディスクカートリッジのシャッタが開いた状態での上面図である。図３１は、ディスクカートリッジのシャッタが開いた状態での下面図である。
なお、図３０および図３１では、図２１および図２２のディスクカートリッジ２０１と同一または実質的に同一の構成部分には同一符号を付しており、当該同一または実質的に同一の構成部分の説明を適宜省略する。
【０１５０】
このディスクカートリッジ３０１は、光磁気ディスク２０５と、カートリッジ本体３０４と、シャッタ３１６とを有する。カートリッジ本体３０４は、上ハーフ（アッパーシェル）３０２と、下ハーフ（ロアーシェル）３０３とを突き合わせて結合して構成される。
ディスクカートリッジ３０１のシャッタ側の側面には、磁気ヘッドアクセス用の開口部３１５が形成されている。
【０１５１】
上ハーフ３０２の表面には、少しへこんだ位置に平坦部３０２Ｓが形成されており、シャッタ３１６は、上ハーフ３０２の平坦部３０２Ｓに沿って移動するようになっている。
ディスクカートリッジ３０１は、ディスクドライブ装置への挿入端のうち、シャッタ３１６が閉じる方向の端部２０４ａが略円弧状に形成されており、利用者はディスクドライブ装置への挿入方向を容易に認識することができる。
【０１５２】
下ハーフ３０３の表面には、少しへこんだ位置に平坦部２０３Ｓが形成されており、この平坦部２０３Ｓの中にディスク駆動用開口部２１４および光ピックアップアクセス用の開口部２１０が形成されている。シャッタ３１６は、下ハーフ３０３の平坦部２０３Ｓに沿って移動するようになっている。
【０１５３】
ディスクカートリッジ３０１は、当該ディスクカートリッジ３０１がディスクドライブ装置に装着されていないときは、シャッタ３１６は閉じた状態であり、開口部２１０，２１４，３１５はシャッタ３１６の後ろに隠れている。
【０１５４】
ディスクカートリッジ３０１は、当該ディスクカートリッジ３０１がディスクドライブ装置に装着されると、シャッタ３１６が開くようになっている。
シャッタ３１６が開くと、ディスクカートリッジ３０１の側面では磁気ヘッドアクセス用の開口部３１５が開放される。
また、下ハーフ３０３ではディスク駆動用開口部２１４および光ピックアップアクセス用の開口部２１０が現れ、ディスク駆動用開口部２１４から下ハブ２１１および挿通孔２１３が露出し、開口部２１０から光磁気ディスク２０５の下表面が露出する。
【０１５５】
そして、下ハーフ３０３の平坦部２０３Ｓのうち、開口部２１０，２１４を囲む開口部２１０，２１４の周辺部の点線領域２０３Ａには、ディスクドライブ装置のシール部材のリップが密着し、開口部２１０，２１４から塵埃がディスクカートリッジ３０１内に進入することを防ぐ。
【０１５６】
なお、ディスクカートリッジに収納される光磁気ディスクは、ディスク本体の上面の中央部に環状の凹部を設け、この凹部に磁性材の円盤状のクランピングプレートをはめ込み、クランピングプレートの凸部の平坦部がディスク本体の下面に現れた形状とし、ディスク下面に現れた前記平坦部をクランプ部としてもよく、前記平坦部およびその周辺部をクランプ部としてもよい。この場合、回転テーブルに取り付けられた磁石によりクランピングプレートの平坦部を回転テーブル側に吸着してクランプし、光磁気ディスクを回転させるものとする。
【０１５７】
また、図３１では、下ハーフ３０３にディスク駆動用の開口部２１４および開口部２１０を別個に設けているが、これらの開口部２１０，２１４をつなげて１つの開口部にしてもよい。
同様に、図２２では、下ハーフ２０３にディスク駆動用の開口部２１４および開口部２１０を別個に設けているが、これらの開口部２１０，２１４をつなげて１つの開口部にしてもよい。
【０１５８】
また、図２４では、基部２７５に関して対称にリップ２７３，２７４が形成されたシール部材２７２を例示しているが、これに限らず、基部２７５の下面側に第１および第２のリップが突出したシール部材を用いてもよく、当該シール部材を接着して取り付けてもよく、基部に貫通孔を設けて当該貫通孔を用いて取り付けてもよい。また、基部２７５の上面側に第１および第２のリップが突出し、下面側に第３および第４のリップが突出したシール部材を用いてもよい。
【０１５９】
同様に、図２７では、基部３７５に関して対称にリップ３７３，３７４が形成されたシール部材３７２を例示しているが、これに限らず、基部３７５の上面側に第１および第２のリップが突出したシール部材を用いてもよく、当該シール部材を接着して取り付けてもよく、基部に貫通孔を設けて当該貫通孔を用いて取り付けてもよい。また、基部３７５の上面側に第１および第２のリップが突出し、下面側に第３および第４のリップが突出したシール部材を用いてもよい。
【０１６０】
本発明に係るディスクドライブ装置に用いられるシール部材の材料は、好適にはシリコーンゴム（ＶＭＱ）を用いる。
シリコーンゴムは、耐熱温度の範囲を−５０℃程度〜＋２５０℃程度とすることができ、ゴムを柔らくすることができる、という利点がある。ゴム硬度で表すと、Ｈｓ＝３０度程度に柔らかくすることが可能である。
シリコーンゴムからはガスが僅かに発生することがあるが、リムーバブル・ハードディスク等のリムーバブルディスクを用いるディスクドライブ装置では、ディスクカートリッジと回転操作機構との間からガスを抜けさせることができる。当該ディスクドライブ装置としては、例えば、Ｎ−ＣＳＳ（Non - Contact Start Stop）方式またはＬ／ＵＬ（Load / Unload ）方式とする。
【０１６１】
また、シリコーンゴムは、圧縮永久歪みが小さいので、繰り返して圧力を加える場合に有効である。
ガスケットやＯリングは、一旦押しつぶしてシールすると、潰れた状態で半永久的に保持されるような使われ方をする。
一方、本発明のディスクドライブ装置に用いられるシール部材では、ディスクカートリッジの挿入と取出しを繰り返しても、繰り返しの性能が安定しており、適正な特性を得ることが可能である。
【０１６２】
さらに、シリコーンゴムは、薄肉成形が可能であり、シール部材の押し当てる押圧力を小さくすることが可能である。例えば、シリコーンゴムは、０．１ｍｍ程度の肉厚が可能である。
シール部材によるシールは、ディスクカートリッジの装着時に上ハーフを押圧部材で押さえ、シール部材のリップを下ハーフの表面に密着させると共に、押圧部材の押圧力とディスクカートリッジの自重とでシール部材のリップの傾斜面をたわませることにより行う。
シール部材のリップの反力が小さい場合は、小さい押圧力で所定のシール性能を得ることができ、押圧部材の押圧力を小さくしてディスクカートリッジの抜き差しの際の摺動抵抗（摩擦抵抗）を小さくすることができ、ディスクカートリッジの挿入および取出しをスムーズに行うことが可能となる。
【０１６３】
押圧部材の押圧力が小さい場合は、シール部材のリップの反力によってディスクカートリッジが反りかえって変形することを防止できる利点がある。
また、ディスクカートリッジの表面の平面度が良くない場合にも、シール部材のリップはディスクカートリッジの表面に適応して接触し、シール性能を確保可能である。
なお、シリコーンゴムに対し、ガスが発生しないようなコーティングを行い、またはガスを出しきるような熱処理を行ってから、ディスクドライブ装置に使用してもよい。
【０１６４】
シール部材の材料は、フッ素ゴム（ＦＫＭ）を用いてもよい。
フッ素ゴムは、発生ガスが極めて少なく、耐薬品性、耐熱性、耐候性、耐オゾン性、電気絶縁性等に優れている。
【０１６５】
シール部材の材料は、エチレン・プロピレンゴム（ＥＰＤＭ）を用いてもよい。
エチレン・プロピレンゴムは、エチレンとプロピレンの共重合物で分子中に二重結合を持たない飽和されたゴムであるＥＰＤ（エチレン・プロピレン・ジオレフィン）をもとにして、第３成分（非共役ジオレフィン）を共重合させたものである。発生ガスが少なく、耐候性、耐薬品性、電気絶縁性等に優れている。
【０１６６】
シール部材の材料は、ポリウレタンを用いてもよく、ＴＰＵ（Thermal Polyphenol Urethane 、熱可逆性ウレタン）等のポリウレタン系熱可逆性エラストマーを用いてもよい。
ポリウレタンは、発生ガスが少なく、耐候性、耐薬品性、電気絶縁性等に優れており、ゴム硬度を４０度以下にすることができる。一例として、シート状態から打ち抜いて形状加工する。
【０１６７】
図１８に示すフィルタ１０４や図１９に示すフィルタ１１４の材料としては、好適には、ＰＴＦＥ（四フッ化エチレン、ポリテトラフロロエチレン（ポリテトラフルオロエチレン））を用いる。
ＰＴＦＥを用いたフィルタは、ダスト捕集効率をほぼ１００％（例えば、９９．９９％）にすることができる。
このフィルタは、所定の圧力抵抗を有しており、カートリッジ中の気圧とフィルタ外部の気圧との間に大きな差が発生した場合に、フィルタ外部の空気を濾過して清浄な空気にする。
【０１６８】
なお、フィルタは、ダストおよび化学ガス（ケミカルガス）の濾過に用いてもよい。
この場合、フィルタの材料としては、一例として、活性炭をＰＴＦＥ内に含めたものを使用する。活性炭に代えて、シリカゲルを用いて湿度調整を行ってもよい。
活性炭は有機ガスを吸着するが、さらに活性炭をアルカリ処理して腐食性の酸性ガスを除去してもよい。
【０１６９】
【発明の効果】
本発明に係るディスクドライブ装置よれば、カートリッジが装着部に装着されたとき、開口部を囲むようにカートリッジの下面に接するリップが形成されたシール部材が装着部に取り付けてあるので、ディスク状記録媒体の回転時に、開口部から塵埃を含むエアがカートリッジ内に侵入することが防止される。
シール部材の基部は、リップよりも内方側に位置する部分を有し、当該部分が装着部に取り付けらることで、傾斜した弾性のリップの下側で取付けを行う場合に比べ、シール部材を取り付ける手間を軽減可能である。
【図面の簡単な説明】
【図１】ディスクドライブ装置の使用状態を示す斜視図である。
【図２】ディスクカートリッジの斜視図である。
【図３】ディスクカートリッジの記録媒体に用いるハードディスクの分解斜視図である。
【図４】カートリッジ本体に取り付けられるシャッタ部材の取り付け状態を示す平面図である。
【図５】ディスクドライブ装置の平面図である。
【図６】ディスクドライブ装置の断面図である。
【図７】シール部材の斜視図である。
【図８】シール部材の弾性変位量を説明するための断面図である。
【図９】装着部にディスクカートリッジが装着された状態のディスクドライブ装置の断面図である。
【図１０】ディスクカートリッジが装着部に装着されたときのシール部材の周辺のディスクドライブ装置の断面図である。
【図１１】上記ディスクドライブ装置の変形例のディスクドライブ装置の断面図である。
【図１２】シール部材の斜視図である。
【図１３】ディスクカートリッジが装着部に装着された状態のディスクドライブ装置の断面図である。
【図１４】ディスクカートリッジが装着部に装着されたときのシール部材の周辺のディスクドライブ装置の断面図である。
【図１５】上下対称に形成されたリップを有するシール部材の断面図である。
【図１６】図１５に示すシール部材が高さ位置決め突起に取り付けられた状態を示す断面図である。
【図１７】中心を一致させた複数のリップを有するシール部材の取付状態を示す断面図である。
【図１８】エアに含まれた塵埃等を除去するフィルタ上にシール部材が設けられた例を示す断面図である。
【図１９】エアに含まれた塵埃等を除去するフィルタが取り付けられたリップを有するシール部材の断面図である。
【図２０】高さ位置決め突起が基部に設けてあり、高さ位置決め突起がシール部材と一体に設けられた例を示す断面図である。
【図２１】ディスクカートリッジのシャッタが開いた状態でのディスクカートリッジの上面図である。
【図２２】ディスクカートリッジのシャッタが開いた状態でのディスクカートリッジの下面図である。
【図２３】第１のシール部材の平面図である。
【図２４】図２３の第１のシール部材の矢視断面図である。
【図２５】第２のシール部材の平面図である。
【図２６】図２５の第２のシール部材の斜視図である。
【図２７】図２５の第２のシール部材の矢視断面図である。
【図２８】光磁気ディスク用のディスクドライブ装置の断面図である。
【図２９】光磁気ディスクを収納したディスクカートリッジが装着部に装着された状態のディスクドライブ装置の断面図である。
【図３０】光磁気ディスクを収納したディスクカートリッジの他の一例を示す説明図であり、図３０（Ａ）は、ディスクカートリッジのシャッタが開いた状態でのシャッタ側の側面図であり、図３０（Ｂ）は、ディスクカートリッジのシャッタが開いた状態でのディスクカートリッジの上面図である。
【図３１】ディスクカートリッジのシャッタが開いた状態でのディスクカートリッジの下面図である。
【符号の説明】
１，２０１，３０１…ディスクカートリッジ（カートリッジ）、２，２０２，３０２…上ハーフ（アッパーシェル）、３，３０２，３０２…下ハーフ（ロアーシェル）、４，２０４，３０４…カートリッジ本体、５…ハードディスク（ディスク状記録媒体）、６…ディスク本体、８，２０８…ハブ機構、９…上ハブ、１１，２１１…下ハブ、１４，２１４…ディスク駆動用開口部、１５…記録再生用開口部、１６…シャッタ部材、３１，７１，２７１…ディスクドライブ装置、３２…装置本体、３４，２３４…装着部、３５，２３５…ベース、３６，２３６…カートリッジホルダ、３７…回転操作機構、３８，２３８…磁気ヘッド装置、３９…ディスクテーブル（回転テーブル）、４１…スピンドル軸、４３…マグネット（磁石）、４７，７２，９１，１０１，１１１，１２１，２７２，３７２…シール部材（圧接部材）、４７Ｂ，７５，２７５，３７５…基部（基端部）、４８，７３，７４，２７３，２７４，３７３，３７４…リップ（圧接部）、４９，２４９，３４９…高さ位置決め突起（突起）、４９ａ…フランジ部（頭）、５１，７６，２７６，３７６…取付孔（貫通孔）、５２，２５２…磁気ヘッド素子、６１，２６１…天板、６２，２６２…押圧部材、１０４，１１４…フィルタ、１２４…位置決め用の突起、２０２Ｓ，２０３Ｓ，３０２Ｓ…平坦部、２０５…光磁気ディスク（ディスク状記録媒体）、２１０，２１５，３１５…開口部、２１６，３１６…シャッタ、２６０…光ピックアップ、Ｅ，Ｅ’…空気（エア）。
【図１】
0004332970.tif 000002
【図２】
0004332970.tif 000003
【図３】
0004332970.tif 000004
【図４】
0004332970.tif 000005
【図５】
0004332970.tif 000006
【図６】
0004332970.tif 000007
【図７】
0004332970.tif 000008
【図８】
0004332970.tif 000009
【図９】
0004332970.tif 000010
【図１０】
0004332970.tif 000011
【図１１】
0004332970.tif 000012
【図１２】
0004332970.tif 000013
【図１３】
0004332970.tif 000014
【図１４】
0004332970.tif 000015
【図１５】
0004332970.tif 000016
【図１６】
0004332970.tif 000017
【図１７】
0004332970.tif 000018
【図１８】
0004332970.tif 000019
【図１９】
0004332970.tif 000020
【図２０】
0004332970.tif 000021
【図２１】
0004332970.tif 000022
【図２２】
0004332970.tif 000023
【図２３】
0004332970.tif 000024
【図２４】
0004332970.tif 000025
【図２５】
0004332970.tif 000026
【図２６】
0004332970.tif 000027
【図２７】
0004332970.tif 000028
【図２８】
0004332970.tif 000029
【図２９】
0004332970.tif 000030
【図３０】
0004332970.tif 000031
【図３１】
0004332970.tif 000032